(57)【特許請求の範囲】
【請求項１】
遊技を司る主制御装置に、
第１始動口に遊技球が入球した際に抽出した数値データを記憶する第１保留記憶手段と、
第２始動口に遊技球が入球した際に抽出した数値データを記憶する第２保留記憶手段と、
前記第１保留記憶手段又は前記第２保留記憶手段に記憶された数値データが予め定められた所定の値か否かに応じて当否を判定する当否判定手段と、
該当否判定手段による当否判定の結果を示す確定図柄を表示するまでの図柄の変動時間を決定する変動時間決定手段と、
前記第１保留記憶手段に記憶された前記数値データをもとに前記当否判定手段が判定した当否結果を示す第１特別図柄の前記確定図柄を、前記変動時間決定手段によって決定された変動時間後に第１特別図柄表示装置へ確定表示させる一方、前記第２保留記憶手段に記憶された前記数値データをもとに前記当否判定手段が判定した当否結果を示す第２特別図柄の前記確定図柄を、前記変動時間決定手段によって決定された変動時間後に第２特別図柄表示装置へ確定表示させる特別図柄変動制御手段と、
前記第１特別図柄表示装置又は前記第２特別図柄表示装置にて、小当りを示す図柄で確定表示され、所定の確定表示時間経過後にのみ小当り遊技を実行する小当り遊技実行手段と、
前記第１特別図柄表示装置又は前記第２特別図柄表示装置にて、大当りを示す図柄で確定表示され、所定の確定表示時間経過後にのみ大当り遊技を実行する大当り遊技実行手段と、を備え、
前記第１特別図柄と、前記第２特別図柄とが同時に変動可能な弾球遊技機において、
前記第１特別図柄表示装置又は前記第２特別図柄表示装置のいずれか一方の特別図柄表示装置にて、前記小当りを示す図柄又は前記大当りを示す図柄の確定表示が終了すると、他方の特別図柄表示装置の図柄が、変動中であれば変動時間の計測を中断し、ハズレを示す図柄が確定表示中であれば確定時間の計測を中断する計測中断手段と、
該計測中断手段によって計測を中断された時間が前記変動時間又は前記確定時間のいずれであっても、該計測の中断の原因となった前記小当りを示す図柄又は前記大当りを示す図柄の確定表示後に行われる前記小当り遊技又は前記大当り遊技の終了後に当該中断されている計測を再開させる計測再開手段と、
前記第１特別図柄表示装置又は前記第２特別図柄表示装置のいずれか一方の特別図柄表示装置で、前記大当りと判定された特別図柄の変動中及び前記大当りを示す図柄の確定表示中に、他方の特別図柄表示装置にて開始される変動が、対応する保留記憶手段に記憶された数値データが小当りとなる値であった場合には小当りを示す図柄で確定表示される変動を行うが、前記数値データが大当りとなる値であった場合にはハズレを示す図柄で確定表示される変動を行う変動切替制御手段とを、前記主制御装置に設けたことを特徴とする弾球遊技機。
【請求項２】
請求項１に記載の弾球遊技機において、
前記変動切替制御手段は、前記第１特別図柄表示装置又は前記第２特別図柄表示装置のいずれか一方の特別図柄表示装置で、前記小当りと判定された特別図柄の変動中に、他方の特別図柄表示装置にて開始される変動が、対応する保留記憶手段に記憶された数値データが小当りとなる値であった場合には小当りを示す図柄で確定表示される変動を行い、前記数値データが大当りとなる値であった場合には大当りを示す図柄で確定表示される変動を行うようにしたことを特徴とする弾球遊技機。
【請求項３】
請求項１又は２に記載の弾球遊技機において、
前記計測中断手段は、前記一方の特別図柄表示装置で、前記大当りを示す図柄にて確定表示が終了されると、他方の特別図柄表示装置にて表示されている特別図柄が、小当りを示す図柄にて確定表示中であった場合、当該確定時間の計測を中断するようにしたことを特徴とする弾球遊技機。
【請求項４】
請求項１乃至３のいずれか１項に記載の弾球遊技機において、
前記計測中断手段は、前記一方の特別図柄表示装置で前記小当りを示す図柄にて確定表示が終了されると、他方の特別図柄表示装置にて表示されている特別図柄が、小当りを示す図柄又は大当りを示す図柄のいずれの確定表示中であっても、当該確定時間の計測を中断するようにしたことを特徴とする弾球遊技機。
【請求項５】
請求項１乃至４のいずれか１項に記載の弾球遊技機において、
前記第１特別図柄及び前記第２特別図柄の疑似演出を表示する演出図柄表示装置と、
該演出図柄表示装置を制御するサブ制御装置と、を備え、
前記特別図柄変動制御手段は、前記第１特別図柄表示装置及び前記第２特別図柄表示装置の図柄変動の表示形態を、変動時間の計測時と計測中断時とで同一形態とするとともに、前記第１特別図柄表示装置及び前記第２特別図柄表示装置の確定表示の表示形態を、確定時間の計測時と計測中断時とで同一形態となし、
前記サブ制御装置は、前記演出図柄表示装置の演出表示の形態を、変動時間の計測時と変動時間の計測中断時、確定時間の計測時と計測中断時とで相違させることを特徴とする弾球遊技機。
【発明の詳細な説明】
【技術分野】
【０００１】
本発明は弾球遊技機、特に第１特別図柄と第２特別図柄とを備え、両特別図柄の同時変動が可能とされた弾球遊技機に関する。
【背景技術】
【０００２】
従来の代表的な弾球遊技機（パチンコ機）は、複数の始動口を備え、第１の始動口に遊技球が入球したことを契機に第１の特別図柄の当否判定が行われ、第２の始動口に遊技球が入球したことを契機に第２の特別図柄の当否判定が行われ、各特別図柄を変動後に確定表示せしめて当否判定の結果を報知し、判定の結果が「大当り」であれば、賞球の獲得に有利な大当り遊技に移行する構成とされている。この種のパチンコ機は、特別図柄の変動が片方ずつ行われ、かつ第２の特別図柄を優先させて変動させるとともに、第１の特別図柄よりも第２の特別図柄のほうが有利な大当り遊技の選択される確率が高い構成とされ、通常遊技と第２の始動口への入球が有利な時短（開放延長）遊技とでメリハリをつけることがなされている。
【０００３】
また従来構造では、第１の特別図柄と第２の特別図柄とを同時変動させる構成もある（例えば、特許文献１）。この構成にすることで、片方ずつしか変動しない構成に比べて早く大当りを発生させることが可能であり、一方の図柄変動を長くする一方、他方の図柄変動を短くし、更に、一方の図柄変動で大当りすると有利な状態が終了する確率を高くすることで、一方の図柄で大当りする前に、他方の図柄で沢山、大当りを発生させるといったタイムレース的な遊技構成も可能になる。尚、大当りの当否判定、図柄の変動制御、大当り遊技の制御等は主制御装置で制御されている。
【先行技術文献】
【特許文献】
【０００４】
【特許文献１】特開２０１１−１０１７４７号
【発明の概要】
【発明が解決しようとする課題】
【０００５】
しかしながら、従来の第１の特別図柄と第２の特別図柄とが同時変動可能な構成では、双方の特別図柄を同時に制御しなければならないので、片方ずつしか変動しない構成に比べて主制御装置の処理負担が大きい。更に、同時変動可能な構成では、同時に双方の特別図柄の大当りを発生させない制御も必要である。
また、同時に双方の特別図柄の大当りを発生させない構成とすると、遊技者に不利な遊技となるおそれがある。
そこで本発明は前記事情に鑑み、主制御装置の処理負担が大きい同時変動の構成において、処理負担を軽減しつつ、同時に双方の特別図柄の大当りを発生させず、かつ遊技者に不利な遊技とならない弾球遊技機を実現することを課題としてなされたものである。
【課題を解決するための手段】
【０００６】
請求項１に記載の発明は、
遊技を司る主制御装置に、
第１始動口に遊技球が入球した際に抽出した数値データを記憶する第１保留記憶手段と、
第２始動口に遊技球が入球した際に抽出した数値データを記憶する第２保留記憶手段と、
前記第１保留記憶手段又は前記第２保留記憶手段に記憶された数値データが予め定められた所定の値か否かに応じて当否を判定する当否判定手段と、
該当否判定手段による当否判定の結果を示す確定図柄を表示するまでの図柄の変動時間を決定する変動時間決定手段と、
前記第１保留記憶手段に記憶された前記数値データをもとに前記当否判定手段が判定した当否結果を示す第１特別図柄の前記確定図柄を、前記変動時間決定手段によって決定された変動時間後に第１特別図柄表示装置へ確定表示させる一方、前記第２保留記憶手段に記憶された前記数値データをもとに前記当否判定手段が判定した当否結果を示す第２特別図柄の前記確定図柄を、前記変動時間決定手段によって決定された変動時間後に第２特別図柄表示装置へ確定表示させる特別図柄変動制御手段と、
前記第１特別図柄表示装置又は前記第２特別図柄表示装置にて、小当りを示す図柄で確定表示され、所定の確定表示時間経過後にのみ小当り遊技を実行する小当り遊技実行手段と、
前記第１特別図柄表示装置又は前記第２特別図柄表示装置にて、大当りを示す図柄で確定表示され、所定の確定表示時間経過後にのみ大当り遊技を実行する大当り遊技実行手段と、を備え、
前記第１特別図柄と、前記第２特別図柄とが同時に変動可能な弾球遊技機において、
前記第１特別図柄表示装置又は前記第２特別図柄表示装置のいずれか一方の特別図柄表示装置にて、前記小当りを示す図柄又は前記大当りを示す図柄の確定表示が終了すると、他方の特別図柄表示装置の図柄が、変動中であれば変動時間の計測を中断し、ハズレを示す図柄が確定表示中であれば確定時間の計測を中断する計測中断手段と、
該計測中断手段によって計測を中断された時間が前記変動時間又は前記確定時間のいずれであっても、該計測の中断の原因となった前記小当りを示す図柄又は前記大当りを示す図柄の確定表示後に行われる前記小当り遊技又は前記大当り遊技の終了後に当該中断されている計測を再開させる計測再開手段と、
前記第１特別図柄表示装置又は前記第２特別図柄表示装置のいずれか一方の特別図柄表示装置で、前記大当りと判定された特別図柄の変動中及び前記大当りを示す図柄の確定表示中に、他方の特別図柄表示装置にて開始される変動が、対応する保留記憶手段に記憶された数値データが小当りとなる値であった場合には小当りを示す図柄で確定表示される変動を行うが、前記数値データが大当りとなる値であった場合にはハズレを示す図柄で確定表示される変動を行う変動切替制御手段とを、前記主制御装置に設けたことを特徴とする。
【０００７】
これによれば、第１特別図柄表示装置又は第２特別図柄表示装置のいずれか一方の特別図柄表示装置にて、小当りを示す図柄の確定表示が終了した場合及び大当りを示す図柄の確定表示が終了した場合には、他方の特別図柄表示装置での処理（変動又は確定表示）の時間計測を中断させるので、前記小当りの場合、前記大当りの場合のいずれであっても同じ内容の制御ですむ。更に、前記他方の特別図柄表示装置での処理が変動であっても確定表示であっても、時間の計測を中断するといった同じ内容の制御ですみ、主制御装置の処理負担を大幅に軽減することができる。
また、第１特別図柄表示装置又は前記第２特別図柄表示装置のいずれか一方の特別図柄表示装置にて、大当りになる図柄の変動中及び大当りとなる図柄の確定表示中に、他方の特別図柄表示装置にて開始される変動は、大当りとなる数値データが抽出されていてもハズレとなる変動が開始され、小当りとなる数値データが抽出されていた場合には、そのまま、小当りの変動が行われ、小当り遊技が実行されるので、第１特別図柄と第２特別図柄とで大当りの同時発生を回避しつつ、遊技者に不利な遊技とならない。
【０００８】
請求項２に記載の発明は、
請求項１に記載の弾球遊技機において、
前記変動切替制御手段は、前記第１特別図柄表示装置又は前記第２特別図柄表示装置のいずれか一方の特別図柄表示装置で、前記小当りと判定された特別図柄の変動中に、他方の特別図柄表示装置にて開始される変動が、対応する保留記憶手段に記憶された数値データが小当りとなる値であった場合には小当りを示す図柄で確定表示される変動を行い、前記数値データが大当りとなる値であった場合には大当りを示す図柄で確定表示される変動を行うようにしたことを特徴とする。
【０００９】
これによれば、第１特別図柄表示装置又は第２特別図柄表示装置のいずれか一方の特別図柄表示装置にて、小当りになる変動が開始されると、他方の特別図柄表示装置にて開始される変動は、大当りとなる数値データが抽出されていたならば、そのまま大当りとなる変動が開始され、小当りとなる数値データが抽出されていた場合にも、そのまま小当りの変動が行われ、発生するはずであった大当り又は小当りが消滅することがないので、遊技者に不利な構成にはならない。
【００１０】
請求項３に記載の発明は、
請求項１又は請求項２に記載の弾球遊技機において、
前記計測中断手段は、前記一方の特別図柄表示装置で、前記大当りを示す図柄にて確定表示が終了されると、他方の特別図柄表示装置にて表示されている特別図柄が、小当りを示す図柄にて確定表示中であった場合、当該確定時間の計測を中断するようにしたことを特徴とする。
【００１１】
第１特別図柄表示装置又は第２特別図柄表示装置のいずれか一方の特別図柄表示装置にて、大当りを示す図柄にて確定表示が終了したときに、他方の特別図柄表示装置が確定表示中であった場合に、確定時間の計測を中断する構成では、ハズレを示す図柄での確定表示中と、小当りを示す図柄の確定表示中との２通りの可能性がある。よって小当りを示す図柄での確定表示の計測を中断せずに確定表示の計測を継続して行うと、同時に大当りと小当りとが発生することとなる。しかしながら、小当りを示す図柄の確定表示を無効とすると、発生するはずであった小当りが発生しないこととなり遊技者にとっては不利な遊技となってしまう。
そこで一方の特別図柄表示装置にて大当りを示す図柄にて確定表示が終了すると、他方の特別図柄表示装置にて表示されている特別図柄が、小当りを示す図柄にて確定表示中であった場合、当該確定時間の計測を中断させることで、大当りと小当りが同時に発生しないようにしつつ、小当りも発生するので遊技者に不利な遊技とならない。
【００１２】
請求項４に記載の発明は、
請求項１乃至３のいずれか１項に記載の弾球遊技機において、
前記計測中断手段は、前記一方の特別図柄表示装置で前記小当りを示す図柄にて確定表示が終了されると、他方の特別図柄表示装置にて表示されている特別図柄が、小当りを示す図柄又は大当りを示す図柄のいずれの確定表示中であっても、当該確定時間の計測を中断するようにしたことを特徴とする。
【００１３】
第１特別図柄表示装置又は第２特別図柄表示装置のいずれか一方の特別図柄表示装置にて、小当りを示す図柄にて確定表示が終了したときに、他方の特別図柄表示装置が確定表示中であった場合に、確定時間の計測を中断する構成では、確定表示中の可能性は、ハズレを示す図柄での確定表示、小当りを示す図柄の確定表示及び大当りを示す図柄の確定表示のいずれの場合もある。小当りを示す図柄での確定表示、大当りを示す図柄での確定表示の計測を中断せずに確定表示の計測を継続して行うと、同時に２つの小当りが発生する又は、同時に大当りと小当りとが発生することとなる。しかしながら、小当りを示す図柄の確定表示及び大当りを示す図柄の確定表示を無効とすると、発生するはずであった小当り又は大当りが発生しないこととなり遊技者にとっては不利な制御となってしまう。そこで一方の特別図柄表示装置で小当りを示す図柄にて確定表示が終了すると、他方の特別図柄表示装置にて表示されている特別図柄が、小当りを示す図柄又は大当りを示す図柄のいずれの確定表示中であっても確定時間の計測を中断するので、２つの小当り又は大当りと小当りが同時に発生しないようにしつつ、小当り又は大当りも発生するので遊技者に不利な遊技とならない。
【００１４】
請求項５に記載の発明は、
請求項１乃至４のいずれか１項に記載の弾球遊技機において、
前記第１特別図柄及び前記第２特別図柄の疑似演出を表示する演出図柄表示装置と、
該演出図柄表示装置を制御するサブ制御装置と、を備え、
前記特別図柄変動制御手段は、前記第１特別図柄表示装置及び前記第２特別図柄表示装置の図柄変動の表示形態を、変動時間の計測時と計測中断時とで同一形態とするとともに、前記第１特別図柄表示装置及び前記第２特別図柄表示装置の確定表示の表示形態を、確定時間の計測時と計測中断時とで同一形態となし、
前記サブ制御装置は、前記演出図柄表示装置の演出表示の形態を、変動時間の計測時と変動時間の計測中断時、確定時間の計測時と計測中断時とで相違させることを特徴とする。
【００１５】
これによれば、計測時も計測中断時も主制御装置の特別図柄変動制御手段が制御する特別図柄表示装置は同じ表示を行うので主制御装置に処理負担をかけないようにしつつ、サブ制御装置が制御する演出図柄表示装置により、計測中であるか計測中断中であるかを遊技者に好適に報知できる。
【図面の簡単な説明】
【００１６】
【図１】本発明を適用した第１の実施形態の弾球遊技機の正面図である。
【図２】前記弾球遊技機の遊技盤の正面図である。
【図３】前記弾球遊技機の背面図である。
【図４】前記弾球遊技機の電気ブロック図である。
【図５】前記弾球遊技機の主制御装置で実行されるメインルーチンの制御内容を示すフローチャートである。
【図６】前記主制御装置で実行される始動入賞処理の制御内容を示すフローチャートである。
【図７】前記主制御装置で実行される第１特別図柄の当否判定処理の制御内容を示す第１のフローチャートである。
【図８】前記第１特別図柄の当否判定処理の制御内容を示す第２のフローチャートである。
【図９】前記第１特別図柄の当否判定処理の制御内容を示す第３のフローチャートである。
【図１０】前記第１特別図柄の当否判定処理の制御内容を示す第４のフローチャートである。
【図１１】前記第１特別図柄の当否判定処理の制御内容を示す第５のフローチャートである。
【図１２】前記主制御装置で実行される第２特別図柄の当否判定処理の制御内容を示す第１のフローチャートである。
【図１３】前記第２特別図柄の当否判定処理の制御内容を示す第２のフローチャートである。
【図１４】前記第２特別図柄の当否判定処理の制御内容を示す第３のフローチャートである。
【図１５】前記第２特別図柄の当否判定処理の制御内容を示す第４のフローチャートである。
【図１６】前記第２特別図柄の当否判定処理の制御内容を示す第５のフローチャートである。
【図１７】前記主制御装置で実行される特別遊技処理の制御内容を示す第１のフローチャートである。
【図１８】前記特別遊技処理の制御内容を示す第２のフローチャートである。
【図１９】前記特別遊技処理の制御内容を示す第３のフローチャートである。
【図２０】前記特別遊技処理の制御内容を示す第４のフローチャートである。
【図２１】前記主制御装置で実行される小当り遊技処理の制御内容を示す第１のフローチャートである。
【図２２】前記小当り遊技処理の制御内容を示す第２のフローチャートである。
【図２３】前記弾球遊技機の第１及び第２特別図柄の同時変動に関する第１のタイミングチャートである。
【図２４】前記同時変動に関する第２のタイミングチャートである。
【図２５】前記同時変動に関する第３のタイミングチャートである。
【図２６】前記同時変動に関する第４のタイミングチャートである。
【図２７】前記弾球遊技機に用いられる特別図柄の説明図である。
【図２８】前記弾球遊技機の特別図柄表示装置の表示形態と演出図柄表示装置の表示形態とを対比した図である。
【図２９】前記演出図柄表示装置で実施される演出の第２の表示態様を示す図である。
【図３０】本発明を適用した第２の実施形態の弾球遊技機の主制御装置で実行される第１特別図柄の当否判定処理の制御内容を示す第１のフローチャートである。
【図３１】前記第１特別図柄の当否判定処理の制御内容を示す第２のフローチャートである。
【図３２】前記第１特別図柄の当否判定処理の制御内容を示す第３のフローチャートである。
【図３３】前記第１特別図柄の当否判定処理の制御内容を示す第４のフローチャートである。
【図３４】前記主制御装置で実行される第２特別図柄の当否判定処理の制御内容を示す第１のフローチャートである。
【図３５】前記第２特別図柄の当否判定処理の制御内容を示す第２のフローチャートである。
【図３６】前記第２特別図柄の当否判定処理の制御内容を示す第３のフローチャートである。
【図３７】前記第２特別図柄の当否判定処理の制御内容を示す第４のフローチャートである。
【図３８】前記弾球遊技機の第１及び第２特別図柄の同時変動に関する第１のタイミングチャートである。
【図３９】前記同時変動に関する第２のタイミングチャートである。
【図４０】前記同時変動に関する第３のタイミングチャートである。
【図４１】前記同時変動に関する第４のタイミングチャートである。
【発明を実施するための形態】
【００１７】
本発明を適用した第１の実施形態の弾球遊技機たるパチンコ機を説明する。図１に示すように、パチンコ機１は、縦長の固定外郭保持枠をなす外枠１０にて構成の各部を保持する構造である。外枠１０には、左側の上下の位置に設けたヒンジ１０１を介して、板ガラス１１０が嵌め込まれた前枠(ガラス枠)１１及び図略の内枠が開閉可能に設けてある。なお、これら前枠１１及び前記内枠はシリンダ錠１８により外枠１０に閉鎖ロックされ、シリンダ錠１８に所定の鍵を挿入し、鍵を時計回りに操作して前記内枠を開放するようになし、反時計まわりの操作により前枠１１を開放する。
前枠１１の板ガラス１１０の奥には前記内枠に保持された遊技盤２（図２）が設けてある。
【００１８】
前枠１１の上部の左右両側位置にはそれぞれスピーカ１１２が設置してあり、これらにより遊技音が出力され、遊技の趣向を向上させる。また前枠１１には遊技状態に応じて発光する複数の枠側装飾ランプ１１３のほか、遊技の異常を報知する複数のＬＥＤ類が設けてある。
【００１９】
前枠１１の下半部には上皿１２と下皿１３とが一体に形成してある。下皿１３の右側には発射ハンドル１４が設けてあり、該発射ハンドル１４を時計回りに操作することにより発射装置が作動して、上皿１２から供給された遊技球が遊技盤２に向けて発射される。また上皿１２には賞球が払い出される。
下皿１３は上皿１２から溢れた賞球を受ける構成で、球抜きレバーの操作により下皿１３に溜まった遊技球を遊技店に備えられた別箱(ドル箱)に移すことができる。
【００２０】
本パチンコ機１は所謂ＣＲ機であって、プリペイドカードの読み書きを行うプリペイドカードユニット(ＣＲユニット)ＣＲが隣接してある。パチンコ機１には上皿１２の右側に貸出ボタン１７１、精算ボタン１７２及び残高表示器１７３が設けてある。また上皿１２の中央位置には遊技者が操作可能な遊技ボタン１５と、その外周を囲むようにジョグダイヤル１６が設置されている。
【００２１】
図２は、本パチンコ機の遊技盤２の正面図である。遊技盤２には外レール２０１と内レール２０２とによって囲まれた略円形の遊技領域２０が形成されている。遊技領域２０には図示しない多数の遊技釘や風車が植設されている。
前記遊技領域２０の中央部にはセンターケース２００が装着されている。センターケース２００は中央に演出図柄表示装置２１（全体の図示は省略）のＬＣＤパネルが配設されている。またセンターケース２００には、周知のものと同様にワープ入口、ワープ樋、ステージなどが設けられている。
【００２２】
センターケース２００の左側位置には普図作動ゲート（普図作動口）２２が設置されている。
センターケース２００の直下には、常時入球（入賞）可能な第１特図始動口２３と、チューリップ式普通電動役物（普電役物）からなる第２特図始動口２４とが上下位置に設置されている。第１特図始動口２３への入球に起因して第１特図の当否判定が行われ、第２特図始動口２４に起因して第２特図の当否判定が行われる。
【００２３】
第２特図始動口２４は普電役物の作動時にのみ開放され入球可能又は入球容易な構成である。普電役物は、遊技球が作動ゲート２２を通過したことに起因して実行される普図の抽選で当りとなると所定の時間作動する。
【００２４】
第１および第２特図始動口２３，２４の直下位置には、開閉板にて開閉される大入賞口２５が配置されている。大入賞口２５は特図の大当りからの特別遊技において開閉する特別入賞装置である。
【００２５】
また第１および第２特図始動口２３，２４の左側位置には、複数の普通入賞口２７が配置され、遊技領域２０の最下部にはアウト口２０３が設けられている。
【００２６】
遊技盤２の右下部には遊技領域２０外に、第１特図表示装置２８Ａ、第２特図表示装置２８Ｂ、普図表示装置２９、第１特図保留数表示装置２８１、第２特図保留数表示装置２８２、および普図保留数表示装置２９１が配設されている。
【００２７】
図３に示すように、パチンコ機１の裏側は、前記遊技盤２を脱着可能に取付ける内枠３０が収納されている。内枠３０は、前記前枠１１と同様に、一方の側縁（図３の右側）の上下位置が前記外枠１０にヒンジ結合され開閉可能に設置されている。内枠３０には、遊技球流下通路が形成されており、上方(上流)から球タンク３１、タンクレール３２、払出ユニット３３が設けられ、払出ユニット３３の中には払出装置が設けられている。この構成により、遊技盤２の入賞口に遊技球が入賞すれば球タンク３１からタンクレール３２を介して所定個数の遊技球（賞球）が払出ユニット３３により払出球流下通路を通り前記上皿１２に払い出される。また、本実施形態では前記賞球を払い出す払出ユニット３３により前記貸出ボタン１７１の操作で払い出される貸球も払い出す構成としてある。
【００２８】
パチンコ機１の裏側には、主制御装置４０、払出制御装置４１、サブ統合制御装置４２、演出図柄制御装置４３、発射制御装置（４４）、電源基板４５が設けられている。
主制御装置４０、サブ統合制御装置４２、演出図柄制御装置４３は遊技盤２に設けられ、払出制御装置４１、発射制御装置４４、電源基板４５は内枠３０に設けられている。図３では発射制御装置４４が描かれていないが、払出制御装置４１の下に設けてある。
また、球タンク３１の右側には、外部接続端子板３８が設けてあり、外部接続端子板３８により、遊技状態や遊技結果を示す信号が図示しないホールコンピュータへ送られる。尚、従来はホールコンピュータへ信号を送信するための外部接続端子板には、盤用(遊技盤側から出力される信号をホールコンピュータへ出力するための端子)と枠側（外枠１０、前枠１１、内枠３０）から出力される信号をホールコンピュータへ出力するための端子）の２種類を用いているが、本実施形態では、ひとつの外部接続端子板３８を介して遊技状態や遊技結果を示す信号をホールコンピュータへ送信する。
【００２９】
図４は本パチンコ機の電気的構成を示すもので、遊技の制御を司る主制御装置４０を中心に、サブ制御装置として払出制御装置４１、サブ統合制御装置４２及び演出図柄制御装置４３を具備する構成である。主制御装置４０、払出制御装置４１、サブ統合制御装置４２及び演出図柄制御装置４３においては、何れもＣＰＵ、ＲＯＭ、ＲＡＭ、入力ポート、出力ポート等を備え、これら制御装置は何れもＣＰＵにより、２ｍｓ周期又は４ｍｓ周期の割り込み信号に起因してＲＯＭに搭載しているメインルーチン及びサブルーチンからなるプログラムが開始され、各種の制御が実行される。
発射制御装置４４にはＣＰＵ、ＲＯＭ、ＲＡＭ等が設けられていない、しかしこれに限るわけではなく、発射制御装置４４にＣＰＵ、ＲＯＭ、ＲＡＭ等を設けてもよい。
【００３０】
主制御装置４０は、裏配線中継端子板５３０及び外部接続端子板３８を介して遊技施設のホールコンピュータ５００と電気的に接続される。また主制御装置４０には、裏配線中継端子板５３０や遊技盤中継端子板５３１を介して、ガラス枠開放ＳＷ（スイッチ）５０１、内枠開放ＳＷ５０２、第１特図始動口２３への入球を検出する第１始動口ＳＷ５０３、第２特図始動口２４への入球を検出する第２始動口ＳＷ５０４、作動ゲート２２への入球を検出する普通図柄作動ＳＷ５０５、普通入賞口２７への入球を検出する左入賞口ＳＷ５０６及び大入賞口２５への入球を検出するカウントＳＷ５０７等の検出信号が入力される。
【００３１】
また主制御装置４０は搭載しているプログラムに従って動作して、上述の検出信号などに基づいて遊技の進行に関わる各種のコマンドを生成し、払出制御装置４１や、演出中継端子板５３２を介してサブ統合制御装置４２、演出図柄制御装置４３へ向けてのコマンドの出力や、図柄表示装置中継端子板５３３を介して前記の第１特図表示装置２８Ａ、第１特図保留数表示装置２８１、第２特図表示装置２８Ｂ、第２特図保留数表示装置２８２、普図表示装置２９及び普図保留数表示装置２９１等の表示制御を行なう。
【００３２】
更に主制御装置４０は、遊技盤中継端子板５３１を介して、大入賞口ソレノイド５１０及び普通電役ソレノイド５１１が接続されている。そして大入賞口ソレノイド５１０を制御して大入賞口２５を開放作動せしめる。また普電役物ソレノイド５１３を制御して第２特図始動口２４の普電役物を開閉作動せしめる。
主制御装置４０からの出力信号は試験信号端子にも出力される他、図柄変動や大当り等の管理用の信号が外部接続端子板３８を経てホールコンピュータ５００に送られる。
【００３３】
主制御装置４０と払出制御装置４１とは双方向通信が可能である。
払出制御装置４１は、裏配線中継端子板５３０や払出中継端子板５３４を介して球タンクが空状態になったことを検出する球切れＳＷ５２０、遊技球が払い出されたことを検出する払出ＳＷ５２２、遊技球貯留皿が満杯状態になったことを検出する満杯ＳＷ５２３等の検出信号が入力される。また主制御装置４０から送られてくるコマンドに応じて払出モータ５２１を稼働させて遊技球を払い出させる。更に、ＣＲユニット端子板５３５を介してＣＲユニットＣＲと電気的に接続され、精算表示装置１７３を介して球貸及び精算ＳＷ１７１，１７２による貸出要求、精算要求の操作信号を受け付け、ＣＲユニット６０とデータを送受し、貸出要求信号に応じて払出モータ５２１を稼働させて貸球を払い出させ、ＣＲユニット６０に挿入されているプリペイドカードの残高表示を制御する。
【００３４】
発射制御装置４４は、発射ハンドルの回転操作を検出するスイッチ５２４、発射停止ＳＷ５２５、発射ハンドル１４に遊技者が接触（操作）していることを検出するタッチＳＷ５２６等の検出信号が入力される。払出制御装置４１を介して主制御装置４０から送られてくるコマンド（タッチＳＷ５２６の信号や遊技状況を反映している）、発射ハンドル１４（５２４）の回動信号及び発射停止ＳＷ５２５の信号に基づいて発射モータ５２７を制御して遊技球を発射及び停止させる。
【００３５】
サブ統合制御装置４２には、音量調節ＳＷ、遊技ボタン１５の操作を検出するボタン操作検出ＳＷ５５１、やジョグダイヤル１６の操作を検出するボタン操作検出ＳＷ５５２などの操作信号が入力される。
そしてサブ統合制御装置４２は、スピーカ１１２を駆動して音声を出力することや、各種ＬＥＤや各種ランプ１１３の点灯、消灯等を制御する。更に演出図柄制御装置４３へキャラクタなどを表示する擬似演出や特図の擬似図柄の表示態様のコマンドを送信する。
【００３６】
演出図柄制御装置４３は、ＬＣＤパネルユニットや付属ユニットと共に演出図柄表示装置２１を構成している。演出図柄制御装置４３は、サブ統合制御装置４２から送られてくるコマンドに応じて演出図柄表示装置２１のＬＣＤパネルの表示を制御する。
【００３７】
次にパチンコ機１の作動を説明する。
パチンコ機１は、作動ゲート２２への入球に起因して普図の当否抽選を行い、普図表示装置２９の図柄変動を開始する。前記抽選結果が当りであれば、表示装置２９に当選結果を確定表示して前記普電役物を開放する。これにより第２特図始動口２４への入球が可能となる。本実施形態では第２特図始動口２４は常時入球が可能な構成ではないので、普図の当りにより入球可能としたが、第２特図始動口２４が通常も入球が可能な構成の場合は普図の当りにより通常時よりも入球を容易とする。
【００３８】
第１特図始動口２３への入球があると、これに起因して第１特図用の乱数値が抽出され、該乱数値に基づいて第１特図の当否判定を行い、第１特図表示装置２８Ａにおいて第１特図の図柄変動、演出図柄表示装置２１において第１特図に対応する擬似演出図柄の図柄変動を開始する。
一方、第２特図始動口２４への入球があると、これに起因して第２特図用の乱数値が抽出され、該乱数値に基づいて第２特図の当否判定を行い、第２特図表示装置２８Ｂにおいて第２特図の図柄変動、演出図柄表示装置２１において第２特図に対応する擬似演出図柄の図柄変動を開始する。
第１特図表示装置２８Ａ及び第２特図表示装置２８Ｂにおいて第１特図と第２特図の同時変動が、演出図柄表示装置２１において第１特図、第２特図に対応する擬似演出図柄の同時変動が可能とされている。
【００３９】
第１特図又は第２特図の当否判定の結果が大当り又は小当りであれば、第１特図表示装置２８Ａ又は第２特図表示装置２８Ｂに大当り図柄又は小当り図柄を確定表示するとともに、演出図柄表示装置２１に大当り図柄又は小当り図柄に対応する擬似演出図柄を確定表示して大当り遊技又は小当り遊技へ移行する。大当り遊技では大当り図柄に応じて所定の開放態様で複数ラウンドにわたり大入賞口２５を開放せしめ、小当り遊技では小当り図柄に応じて所定の開放態様で大入賞口２５を開放せしめる。尚、同時変動中、第１特図又は第２特図のいずれか一方が、大当り又は小当りとなると他方の図柄変動は中断され、前記大当りによる大当り遊技の終了後又は小当りによる小当り遊技の終了後に中断された他方の図柄変動が再開される。
また、大当り遊技終了後、前記第１特図及び第２特図の当否判定の当選確率を高確率とする確変遊技状態と、普図の当選確率を高確率とするとともに普通図柄の変動時間を短縮し、かつ第２特図始動口２４の普電役物の開放時間を延長する時短遊技状態に移行可能とされている。
このような基本構成を有する本パチンコ機１の作動の詳細を以下に、主制御装置４０（厳密には、そのＣＰＵ）が実行するプログラム処理に基づいて説明する。
【００４０】
図５は主制御装置４０で実行される「メインルーチン」のフローチャートを示し、「メインルーチン」は本処理（Ｓ１００〜Ｓ１１０，Ｓ１１５）と残余処理（Ｓ１１１）とで構成され、２ｍｓ又は４ｍｓ周期の割り込み信号に起因して開始され、最初に正常割り込みか否かを判断する（Ｓ１００）。この判断はＲＡＭの特定アドレスに特定の数値が書き込まれているか否かに基づいて行われ、ここで否定判断（Ｓ１００：ｎｏ）なら初期設定（Ｓ１１５）を実行する。前述の正常割り込みか否かを判断するための数値は、この初期設定の一環としてＲＡＭに書き込まれる。
【００４１】
正常割り込みなら（Ｓ１００：ｙｅｓ）、初期値乱数更新処理（Ｓ１０１）、特図の当否判定用の乱数値である大当り決定用乱数（乱数カウンタ）の更新処理（Ｓ１０２）、特図の当り図柄（大当り図柄、小当り図柄）決定用乱数（乱数カウンタ）の更新処理（Ｓ１０３）、普図の当り決定用乱数（乱数カウンタ）の更新処理（Ｓ１０４）、特図のリーチに関するリーチ判定用乱数（乱数カウンタ）の更新処理（Ｓ１０５）、特図の変動パターンに関する変動パターン決定用乱数（乱数カウンタ）の更新処理（Ｓ１０６）、入賞確認処理（Ｓ１０７）、当否判定処理（Ｓ１０８）、各出力処理（Ｓ１０９）、不正監視処理（Ｓ１１０）を行って、次に割り込み信号が入力されるまでの残余時間内には初期乱数更新処理（Ｓ１１１）をループ処理する。
【００４２】
次に、本発明に関わりの深い入賞確認処理（Ｓ１０７）、当否判定処理（Ｓ１０８）および各出力処理（Ｓ１０９）の一部のサブルーチンについて説明する。
図６に示す「始動入賞処理」は、第１特図始動口２３、第２特図始動口２４に遊技球が入球したときに抽出される当否乱数等の種々の乱数を、保留記憶として主制御装置４０に格納（記憶）する。そして各特図始動口２３，２４への入球に起因する各種コマンドをサブ統合制御装置４２及び演出図柄制御装置４３へ送信する処理となる。以後、第１特図始動口２３に遊技球が入球したときに格納される保留記憶を第１保留記憶、第２特図始動口２４に遊技球が入球したときに格納される保留記憶を第２保留記憶とする。尚、本実施形態における記憶可能な保留記憶数は第１保留記憶、第２保留記憶、各４個ずつである。
【００４３】
当該「始動入賞処理」は、先ず、第１始動口ＳＷ５０３により第１特図始動口２３への入球を検出したか否か判定する（Ｓ２００）。入球が無ければ（Ｓ２００：ｎｏ）、Ｓ２０４の処理に移行する。入球が有れば（Ｓ２００：ｙｅｓ）、主制御装置４０に格納されている第１保留記憶の数が上限値（＝４個）未満か否か確認する（Ｓ２０１）。上限値であれば（Ｓ２０１：ｎｏ）Ｓ２０４に進む。一方、上限値未満であれば（Ｓ２０１：ｙｅｓ）、Ｓ２０２の処理で大当り決定用乱数、大当り図柄決定用乱数、小当り図柄決定用乱数、リーチ判定用乱数、変動パターン決定用乱数等を抽出し、これらの乱数を第１保留記憶として記憶し（特許請求の範囲に記載の第１保留記憶手段に相当）、第１保留記憶数を示す第１保留記憶カウンタに「１」を加算する。
続くＳ２０３の処理で加算した第１保留記憶カウンタの値を示す第１保留数指示コマンドをサブ統合制御装置４２及び演出図柄制御装置４３へ送信する。
【００４４】
次に、Ｓ２０４の処理では、第２始動口ＳＷ５０４により第２特図始動口２４への入球を検出したか否か判定する。入球が無ければ（Ｓ２０４：ｎｏ）、リターンする。入球が有れば（Ｓ２０４：ｙｅｓ）、主制御装置４０に格納されている第２保留記憶の数が上限値（＝４個）未満か否か確認する（Ｓ２０５）。上限値であれば（Ｓ２０５：ｎｏ）リターンする。一方、上限値未満であれば（Ｓ２０５：ｙｅｓ）、大当り決定用乱数、大当り図柄決定用乱数、小当り図柄決定用乱数、リーチ判定用乱数、変動パターン決定用乱数等を抽出し、これらの乱数を第２保留記憶として記憶し（特許請求の範囲に記載の第２保留記憶手段に相当）、第２保留記憶数を示す第２保留記憶カウンタに「１」を加算する（Ｓ２０６）。
続くＳ２０７の処理で加算した第２保留記憶カウンタの値を示す第２保留数指示コマンドをサブ統合制御装置４２及び演出図柄制御装置４３へ送信する。
【００４５】
図７乃至図１１は主制御装置４０で実行される「第１特図当否判定処理１」のフローチャートを示す。本パチンコ機では、第１特図の当否判定処理と第２特図の当否判定処理とが個別に実行される構成で、本処理において第１特図の当否判定が実行される。
図７に示すように、先ずＳ３００の処理において大入賞口２５を開放させるための特別電動役物が作動中か確認し、作動中であれば（Ｓ３００：ｙｅｓ）リターンする。一方、特別電動役物が作動していなければ（Ｓ３００：ｎｏ）、Ｓ３０１の処理において第１特図の図柄変動時間の計測又は図柄確定表示時間の計測が中断中であるか否かを確認する。中断中であれば（Ｓ３０１：ｙｅｓ）リターンする。
一方、計測が中断中でなければ（Ｓ３０１：ｎｏ）、Ｓ３０２の処理において第１特図が変動中であるか否かを確認し、変動中でなければ（Ｓ３０２：ｎｏ）、Ｓ３０３の処理において第１特図の確定図柄が表示されているか否かを確認する。
【００４６】
前記Ｓ３０３の処理において確定図柄が表示中でなければ（Ｓ３０３：ｎｏ）、図８に示すように、Ｓ３０５の処理において第１特図の保留記憶（第１保留記憶）があるか確認する。保留記憶がなければ（Ｓ３０５：ｎｏ）リターンする。保留記憶があれば（Ｓ３０５：ｙｅｓ）、Ｓ３０６の処理において記憶数を減算し、保留記憶のシフト処理を行う。該シフト処理により第１特図の保留記憶のうち最も古い保留記憶が当否判定の対象となる。
【００４７】
次にＳ３０７の処理で確変フラグを確認して現在の遊技状態が大当りとなる確率が高い確変遊技状態であるか否かを確認する（確変フラグが「１」であれば確変中）。確変中であれば（Ｓ３０７：ｙｅｓ）、Ｓ３０８の処理において確変時の当否判定用テーブルと前記当否判定の対象となる保留記憶の大当り決定用乱数とを対比して大当りか否か当否判定を行う。
確変中でなければ（Ｓ３０７：ｎｏ）、Ｓ３０９の処理において通常確率（低確率）の当否判定用テーブルと前記大当り決定用乱数とを対比して大当りか否か当否判定を行う。
【００４８】
続くＳ３１０の処理では、前記Ｓ３０８又はＳ３０９の処理の当否判定が大当りか否かの確認を行う（特許請求の範囲に記載の当否判定手段に相当）。
大当りであれば（Ｓ３１０：ｙｅｓ）、Ｓ３１１の処理において第２特図が大当りとなる図柄変動中であるか否かを確認する。大当りとなる変動中であれば（Ｓ３１１：ｙｅｓ）、後述するＳ３２０の処理に移行して強制的にハズレ判定に切り替えられる（特許請求の範囲に記載の切替変動制御手段に相当）。
一方、大当りとなる変動中でなければ（Ｓ３１１：ｎｏ）、Ｓ３１２の処理において前記当否判定の対象となる保留記憶の大当り図柄決定用乱数に基づいて大当り図柄を決定する。例えば大当り図柄決定用乱数を２０通りの乱数から抽出するようになし、該乱数に応じて図２７に示す２０種類の大当り図柄より１つの大当り図柄が決定される。
【００４９】
続くＳ３１３の処理では、前記当否判定の対象となる保留記憶の変動パターン決定用乱数に基づいて、第１特図表示装置２８Ａに表示される特図の大当り用の変動時間などといった変動パターンを決定する（特許請求の範囲に記載の変動時間決定手段に相当）。
【００５０】
変動パターンの決定後、Ｓ３１４で大当り設定処理を行う。この処理では、前記決定された大当り図柄に基づき、大当り遊技の開放パターンの設定を行う。また、該大当り設定処理では、開放パターンの設定の他にも、例えば演出図柄表示装置２１で実行される大当り遊技のオープニング演出の時間の設定、エンディング演出の時間の設定、大入賞口２５の開放態様、大当り遊技終了後の遊技状態等の設定がなされる。大当り遊技終了後の遊技状態を前記確変遊技状態に移行する場合は「確変設定フラグ」をセットする（確変設定フラグ＝１）。また、大当り遊技終了後の遊技状態を前記時短遊技状態に移行する場合は「時短設定フラグ」をセットする（時短設定フラグ＝１）。
【００５１】
続くＳ３１５の処理では、第１特図表示装置２８Ａの図柄変動開始制御を行い（特許請求の範囲に記載の特別図柄変動制御手段に相当）、サブ統合制御装置４２及び演出図柄制御装置４３へ第１特図に対応する擬似演出図柄の変動開始コマンド、図柄指定コマンドを送信し、リターンして後述の「特別遊技処理」へ移行する。尚、変動開始コマンド、図柄指定コマンドには特図の変動パターン、特図の当否判定の判定結果などが含まれる。
【００５２】
前記Ｓ３１０の処理において大当りでなければ（Ｓ３１０：ｎｏ）、Ｓ３１６の処理において前記Ｓ３０８又はＳ３０９の処理の当否判定が小当りか否かの確認を行う。
小当りであれば（Ｓ３１６：ｙｅｓ）、Ｓ３１７の処理において前記当否判定の対象となる保留記憶の小当り図柄決定用乱数に基づいて小当り図柄を決定する。例えば図２７に示す２種類の小当り図柄より１つの小当り図柄が決定される。
【００５３】
続くＳ３１８の処理では、前記当否判定の対象となる保留記憶の変動パターン決定用乱数に基づいて、第１特図表示装置２８Ａに表示される特図の小当り用の変動時間などといった変動パターンを決定する（特許請求の範囲に記載の変動時間決定手段に相当）。
【００５４】
変動パターンの決定後、Ｓ３１９で小当り設定処理を行う。この処理では、前記決定された小当り図柄に基づき、小当り遊技の開放パターンの設定を行う。また、該小当り設定処理では、この他に、例えば演出図柄表示装置２１で実行される小当り遊技のオープニング演出の時間の設定、エンディング演出の時間の設定、大入賞口２５の開放態様等の設定がなされる。更に遊技状態が確変遊技状態や時短遊技状態であれば、これらの継続期間をカウントする「確変カウンタ」及び「時短カウンタ」の減算処理等を行なう。
その後、大当りと同様に、前記Ｓ３１５の処理が実行され、その後、リターンして後述の「特別遊技処理」へ移行する。
【００５５】
前記Ｓ３１０及びＳ３１６の処理において大当りでも小当りでもなければ（Ｓ３１０、Ｓ３１６：ｎｏ）、ハズレとなって、Ｓ３２０の処理において、第１特図表示装置２８Ａに表示される特図のハズレ用の変動時間などといった変動パターンを決定する（特許請求の範囲に記載の変動時間決定手段に相当）。続くＳ３２１のハズレ設定処理では、遊技状態が確変遊技状態や前記時短遊技状態であれば、これらの継続期間をカウントする前記「確変カウンタ」及び「時短カウンタ」の減算処理等を行なう。
その後、大当り、小当りと同様に、前記Ｓ３１５の処理が実行され、その後、リターンして後述の「特別遊技処理」へ移行する。
【００５６】
前記図７の前記Ｓ３０２の処理で、第１特図が変動中であれば（Ｓ３０２：ｙｅｓ）、図９に示すように、Ｓ３２５の処理において特図の変動時間が経過したか否かを確認し、これを確認すると（Ｓ３２５：ｙｅｓ）、Ｓ３２６の確定図柄表示処理により第１特図表示装置２８Ａの変動表示を終了させるとともに確定図柄表示の制御を行い、サブ統合制御装置４２及び演出図柄制御装置４３へ擬似演出図柄の変動表示及び演出表示を終了させるように図柄確定コマンドを送信し、リターンした後に「特別遊技処理」へ移行する。
【００５７】
前記Ｓ３２５の処理において第１特図の変動時間が経過していなければ（Ｓ３２５：ｎｏ）、Ｓ３２７の処理において第２特図の大当り又は小当りとなる図柄の確定表示が開始されたか否かを確認する。前記確定表示の開始が確認されれば（Ｓ３２７：ｙｅｓ）、Ｓ３２８の処理において第１特図の変動時間の計測を中断する（特許請求の範囲に記載の計測中断手段に相当）。尚、第１特図の変動は継続され、その後に計測が再開されて変動時間が終了するまで続けられる。
【００５８】
図７の前記Ｓ３０３の処理で、第１特図の確定図柄が表示中であれば（Ｓ３０３：ｙｅｓ）、図１０に示すように、Ｓ３３０の処理において第２特図の大当り又は小当りとなる図柄の確定表示が開始されたか否かを確認し、確定表示の開始が確認されれば（Ｓ３３０：ｙｅｓ）、Ｓ３３１の処理において第１特図の確定表示の表示時間の計測を中断する（特許請求の範囲に記載の計測中断手段に相当）。尚、第１特図の確定表示は継続され、その後に計測が再開されて確定表示時間が終了するまで続けられる。
【００５９】
前記Ｓ３３０の処理で第２特図の大当り又は小当りとなる図柄の確定表示が開始されてなければ（Ｓ３３０：ｎｏ）、Ｓ３３２の処理にて第１特図の確定図柄表示時間が終了したか確認する。尚、ハズレ図柄の確定表示時間、小当り図柄の確定表示時間、大当り図柄の確定表示時間（大当り図柄に関係なく）は、全て０．６秒とされている。確定図柄表示時間が終了していなければ（Ｓ３３２：ｎｏ）、リターンした後に「特別遊技処理」へ移行する。
一方、確定図柄表示時間が終了したことを確認すると（Ｓ３３２：ｙｅｓ）、続くＳ３３３の確定図柄表示終了の処理により第１特図表示装置２８Ａの第１特図の確定図柄表示を終了させる制御を行い、サブ統合制御装置４２及び演出図柄制御装置４３へ特図に対応する擬似演出図柄の確定表示を終了させるようにコマンドを送信する。
確定表示時間は、前記０．６秒に限るものではない。またハズレ図柄、小当り図柄、大当り図柄に応じて確定時間を変えてもよい。
【００６０】
続いてＳ３３４の処理において第１特図の図柄が大当りになる組合せであるか否かを確認し、大当りになる組合せであれば（Ｓ３３４：ｙｅｓ）、Ｓ３３５の確変フラグの確認処理において確変フラグが「１」であれば（Ｓ３３５：ｙｅｓ）、Ｓ３３６の処理において確変フラグをリセット（確変フラグ＝０）する。次に、Ｓ３３７の時短フラグの確認処理において時短フラグが「１」であれば（Ｓ３３７：ｙｅｓ）、Ｓ３３８の処理において時短フラグをリセット（時短フラグ＝０）する。これらの処理により第１特図に起因する大当り遊技中での遊技状態を通常状態にリセットする。
【００６１】
次にＳ３３９の処理において特別電動役物の作動開始の設定を行ない、続くＳ３４０の処理では条件装置の作動を開始させる。更にＳ３４１の処理では役物連続作動装置の作動を開始させる。特別電動役物は大入賞口２５の開閉作動に必要なものであり、条件装置は大当り遊技で役物連続作動装置の作動に必要な装置であり、役物連続作動装置は特別電動役物を連続して作動させる装置である。
そしてＳ３４２の大当り開始演出処理によりサブ統合制御装置４２及び演出図柄制御装置４３へ大当り演出を開始させるようにコマンドを送信し、リターンした後に「特別遊技処理」へ移行する。
【００６２】
前記Ｓ３３４の処理において大当りになる組合せでなければ（Ｓ３３４：ｎｏ）、Ｓ３４３の処理において第１特図の図柄が小当りになる組合せであるか否かを確認する。小当りになる組合せであれば（Ｓ３４３：ｙｅｓ）、Ｓ３４４の処理において特別電動役物の作動開始の設定を行ない、そしてＳ３４５の小当り開始演出処理によりサブ統合制御装置４２及び演出図柄制御装置４３へ小当り演出を開始させるようにコマンドを送信する。
【００６３】
前記Ｓ３４５の処理の後、又は前記Ｓ３４３の処理において小当りになる組合せでない場合（Ｓ３４３：ｎｏ）、図１１に示すように、Ｓ３５０の確変フラグの確認処理において確変フラグが「１」であれば（Ｓ３５０：ｙｅｓ）、Ｓ３５１の処理において前記確変カウンタの確変回数が「０」であるか否かを確認する。確変回数が「０」であれば（Ｓ３５１：ｙｅｓ）、Ｓ３５２の処理において確変フラグをリセット（確変フラグ＝０）する。これにより特図の変動回数が規定数に達したと見做して確変遊技状態から通常遊技状態に戻される。
【００６４】
次に、Ｓ３５３の時短フラグの確認処理において時短フラグが「１」であれば（Ｓ３５３：ｙｅｓ）、Ｓ３５４の処理において前記時短カウンタの時短回数が「０」であるか否かを確認する。時短回数が「０」であれば（Ｓ３５４：ｙｅｓ）、Ｓ３５５の処理において時短フラグをリセット（時短フラグ＝０）する。これにより特図の変動回数が規定数に達したと見做して時短遊技状態から通常遊技状態に戻される。
続くＳ３５６の状態指定コマンド送信処理では、遊技状態を示す確変フラグや時短フラグの情報等を含む状態指定コマンドを、サブ統合制御装置４２及び演出図柄制御装置４３へ送信する。その後、リターンした後に「特別遊技処理」へ移行する。
【００６５】
次に図１２乃至図１６に基づいて主制御装置４０で実行される「第２特図当否判定処理１」を説明する。
本処理では、図１２に示すように、Ｓ４００の処理において大入賞口２５を開放させるための特別電動役物が作動中か確認し、作動中であれば（Ｓ４００：ｙｅｓ）リターンする。一方、特別電動役物が作動していなければ（Ｓ４００：ｎｏ）、Ｓ４０１の処理において第２特図の図柄変動時間の計測又は図柄確定表示時間の計測が中断中であるか否かを確認する。中断中であれば（Ｓ４０１：ｙｅｓ）リターンする。
一方、計測が中断中でなければ（Ｓ４０１：ｎｏ）、Ｓ４０２の処理において第２特図が変動中であるか否かを確認し、変動中でなければ（Ｓ４０２：ｎｏ）、Ｓ４０３の処理において第２特図の確定図柄が表示されているか否かを確認する。
【００６６】
前記Ｓ４０３の処理において確定図柄が表示中でなければ（Ｓ４０３：ｎｏ）、図１３に示すように、Ｓ４０５の処理において第２特図の保留記憶（第２保留記憶）があるか確認する。保留記憶がなければ（Ｓ４０５：ｎｏ）リターンする。保留記憶があれば（Ｓ４０５：ｙｅｓ）、Ｓ４０６の処理において記憶数を減算し、保留記憶のシフト処理を行う。該シフト処理により第２特図の保留記憶のうち最も古い保留記憶が当否判定の対象となる。
【００６７】
次にＳ４０７の処理で確変フラグを確認して現在の遊技状態が大当りとなる確率が高い確変遊技状態であるか否かを確認する（確変フラグが「１」であれば確変中）。確変中であれば（Ｓ４０７：ｙｅｓ）、Ｓ４０８の処理において確変時の当否判定用テーブルと前記当否判定の対象となる保留記憶の大当り決定用乱数とを対比して大当りか否か当否判定を行う。
確変中でなければ（Ｓ４０７：ｎｏ）、Ｓ４０９の処理において通常確率（低確率）の当否判定用テーブルと前記大当り決定用乱数とを対比して大当りか否か当否判定を行う。
【００６８】
続くＳ４１０の処理では、前記Ｓ４０８又はＳ４０９の処理の当否判定が大当りか否かの確認を行う（特許請求の範囲に記載の当否判定手段に相当）。
大当りであれば（Ｓ４１０：ｙｅｓ）、Ｓ４１１の処理において第１特図が大当りとなる図柄変動中であるか否かを確認する。大当りとなる変動中であれば（Ｓ４１１：ｙｅｓ）、後述するＳ４２０の処理に移行して強制的にハズレ判定に切り替えられる（特許請求の範囲に記載の切替変動制御手段に相当）。
一方、大当りとなる変動中でなければ（Ｓ４１１：ｎｏ）、Ｓ４１２の処理において前記当否判定の対象となる保留記憶の大当り図柄決定用乱数に基づいて大当り図柄を決定する。例えば第１特図の場合と同様に図２７に示す２０種類の大当り図柄より１つの大当り図柄が決定される。
【００６９】
続くＳ４１３の処理では、前記当否判定の対象となる保留記憶の変動パターン決定用乱数に基づいて、第２特図表示装置２８Ｂに表示される特図の大当り用の変動時間などといった変動パターンを決定する（特許請求の範囲に記載の変動時間決定手段に相当）。
【００７０】
変動パターンの決定後、Ｓ４１４で大当り設定処理を行う。この処理では、前記決定された大当り図柄に基づき、大当り遊技の開放パターンの設定を行う。また、該大当り設定処理では、開放パターンの設定の他にも、例えば演出図柄表示装置２１で実行される大当り遊技のオープニング演出の時間の設定、エンディング演出の時間の設定、大入賞口２５の開放態様、大当り遊技終了後の遊技状態等の設定がなされる。大当り遊技終了後の遊技状態を前記確変遊技状態に移行する場合は「確変設定フラグ」をセットする（確変設定フラグ＝１）。また、大当り遊技終了後の遊技状態を前記時短遊技状態に移行する場合は「時短設定フラグ」をセットする（時短設定フラグ＝１）。
【００７１】
続くＳ４１５の処理では、第２特図表示装置２８Ｂの図柄変動開始制御を行い（特許請求の範囲に記載の特別図柄変動制御手段に相当）、サブ統合制御装置４２及び演出図柄制御装置４３へ第２特図に対応する擬似演出図柄の変動開始コマンド、図柄指定コマンドを送信し、リターンして後述の「特別遊技処理」へ移行する。尚、変動開始コマンド、図柄指定コマンドには特図の変動パターン、特図の当否判定の判定結果などが含まれる。
【００７２】
前記Ｓ４１０の処理において大当りでなければ（Ｓ４１０：ｎｏ）、Ｓ４１６の処理において前記Ｓ４０８又はＳ４０９の処理の当否判定が小当りか否かの確認を行う。
小当りであれば（Ｓ４１６：ｙｅｓ）、Ｓ４１７の処理において前記当否判定の対象となる保留記憶の小当り図柄決定用乱数に基づいて小当り図柄を決定する。例えば第１特図の場合と同様に図２７に示す２種類の小当り図柄より１つの小当り図柄が決定される。
【００７３】
続くＳ４１８の処理では、前記当否判定の対象となる保留記憶の変動パターン決定用乱数に基づいて、第２特図表示装置２８Ｂに表示される特図の小当り用の変動時間などといった変動パターンを決定する（特許請求の範囲に記載の変動時間決定手段に相当）。
【００７４】
変動パターンの決定後、Ｓ４１９で小当り設定処理を行う。この処理では、前記決定された小当り図柄に基づき、小当り遊技の開放パターンの設定を行う。また、該小当り設定処理では、この他に、例えば演出図柄表示装置２１で実行される小当り遊技のオープニング演出の時間の設定、エンディング演出の時間の設定、大入賞口２５の開放態様等の設定がなされる。更に遊技状態が確変遊技状態や時短遊技状態であれば、これらの継続期間をカウントする「確変カウンタ」及び「時短カウンタ」の減算処理等を行なう。
その後、大当りと同様に、前記Ｓ４１５の処理が実行され、その後、リターンして後述の「特別遊技処理」へ移行する。
【００７５】
前記Ｓ４１０及びＳ４１６の処理において大当りでも小当りでもなければ（Ｓ４１０、Ｓ４１６：ｎｏ）、ハズレとなって、Ｓ４２０の処理において、第２特図表示装置２８Ｂに表示される特図のハズレ用の変動時間などといった変動パターンを決定する（特許請求の範囲に記載の変動時間決定手段に相当）。続くＳ４２１のハズレ設定処理では、遊技状態が確変遊技状態や前記時短遊技状態であれば、これらの継続期間をカウントする前記「確変カウンタ」及び「時短カウンタ」の減算処理等を行なう。
その後、大当り、小当りと同様に、前記Ｓ４１５の処理が実行され、その後、リターンして後述の「特別遊技処理」へ移行する。
【００７６】
前記図１２の前記Ｓ４０２の処理で、第２特図が変動中であれば（Ｓ４０２：ｙｅｓ）、図１４に示すように、Ｓ４２５の処理において特図の変動時間が経過したか否かを確認し、これを確認すると（Ｓ４２５：ｙｅｓ）、Ｓ４２６の確定図柄表示処理により第２特図表示装置２８Ｂの変動表示を終了させるとともに確定図柄表示の制御を行い、サブ統合制御装置４２及び演出図柄制御装置４３へ擬似演出図柄の変動表示及び演出表示を終了させるように図柄確定コマンドを送信し、リターンした後に「特別遊技処理」へ移行する。
【００７７】
前記Ｓ４２５の処理において第２特図の変動時間が経過していなければ（Ｓ４２５：ｎｏ）、Ｓ４２７の処理において第１特図の大当り又は小当りとなる図柄の確定表示が開始されたか否かを確認する。前記確定表示の開始が確認されれば（Ｓ４２７：ｙｅｓ）、Ｓ４２８の処理において第２特図の変動時間の計測を中断する（特許請求の範囲に記載の計測中断手段に相当）。尚、第２特図の変動は継続され、その後に計測が再開されて変動時間が終了するまで続けられる。
【００７８】
図１２の前記Ｓ４０３の処理で、第２特図の確定図柄が表示中であれば（Ｓ４０３：ｙｅｓ）、図１５に示すように、Ｓ４３０の処理において第１特図の大当り又は小当りとなる図柄の確定表示が開始されたか否かを確認し、確定表示の開始が確認されれば（Ｓ４３０：ｙｅｓ）、Ｓ４３１の処理において第２特図の確定表示の表示時間の計測を中断する（特許請求の範囲に記載の計測中断手段に相当）。尚、第２特図の確定表示は継続され、その後に計測が再開されて確定表示時間が終了するまで続けられる。
【００７９】
前記Ｓ４３０の処理で第２特図の大当り又は小当りとなる図柄の確定表示が開始されてなければ（Ｓ４３０：ｎｏ）、Ｓ４３２の処理にて第２特図の確定図柄表示時間が終了したか確認する。尚、ハズレ図柄の確定表示時間、小当り図柄の確定表示時間、大当り図柄の確定表示時間（大当り図柄に関係なく）は、全て０．６秒とされている。確定図柄表示時間が終了していなければ（Ｓ４３２：ｎｏ）、リターンした後に「特別遊技処理」へ移行する。
一方、確定図柄表示時間が終了したことを確認すると（Ｓ４３２：ｙｅｓ）、続くＳ４３３の確定図柄表示終了の処理により第２特図表示装置２８Ｂの第２特図の確定図柄表示を終了させる制御を行い、サブ統合制御装置４２及び演出図柄制御装置４３へ特図に対応する擬似演出図柄の確定表示を終了させるようにコマンドを送信する。
確定表示時間は、前記０．６秒に限るものではない。またハズレ図柄、小当り図柄、大当り図柄に応じて確定時間を変えてもよい。
【００８０】
続いてＳ４３４の処理において第２特図の図柄が大当りになる組合せであるか否かを確認し、大当りになる組合せであれば（Ｓ４３４：ｙｅｓ）、Ｓ４３５の確変フラグの確認処理において確変フラグが「１」であれば（Ｓ４３５：ｙｅｓ）、Ｓ４３６の処理において確変フラグをリセット（確変フラグ＝０）する。次に、Ｓ４３７の時短フラグの確認処理において時短フラグが「１」であれば（Ｓ４３７：ｙｅｓ）、Ｓ４３８の処理において時短フラグをリセット（時短フラグ＝０）する。これらの処理により第２特図に起因する大当り遊技中での遊技状態を通常状態にリセットする。
【００８１】
次にＳ４３９の処理において特別電動役物の作動開始の設定を行ない、続くＳ４４０の処理では条件装置の作動を開始させる。更にＳ４４１の処理では役物連続作動装置の作動を開始させる。条件装置は大当り遊技で役物連続作動装置の作動に必要な装置であり、役物連続作動装置は特別電動役物を連続して作動させる装置である。
そしてＳ４４２の大当り開始演出処理によりサブ統合制御装置４２及び演出図柄制御装置４３へ大当り演出を開始させるようにコマンドを送信し、リターンした後に「特別遊技処理」へ移行する。
【００８２】
前記Ｓ４３４の処理において大当りになる組合せでなければ（Ｓ４３４：ｎｏ）、Ｓ４４３の処理において第２特図の図柄が小当りになる組合せであるか否かを確認する。小当りになる組合せであれば（Ｓ４４３：ｙｅｓ）、Ｓ４４４の処理において特別電動役物の作動開始の設定を行ない、そしてＳ４４５の小当り開始演出処理によりサブ統合制御装置４２及び演出図柄制御装置４３へ小当り演出を開始させるようにコマンドを送信する。
【００８３】
前記Ｓ４４５の処理の後、又は前記Ｓ４４３の処理において小当りになる組合せでない場合（Ｓ４４３：ｎｏ）、図１６に示すように、Ｓ４５０の確変フラグの確認処理において確変フラグが「１」であれば（Ｓ４５０：ｙｅｓ）、Ｓ４５１の処理において前記確変カウンタの確変回数が「０」であるか否かを確認する。確変回数が「０」であれば（Ｓ４５１：ｙｅｓ）、Ｓ４５２の処理において確変フラグをリセット（確変フラグ＝０）する。これにより特図の変動回数が規定数に達したと見做して確変遊技状態から通常遊技状態に戻される。尚、確変カウンタは第１特図と第２特図とで共通し、第１特図の変動回数と第２特図の変動回数の合計が規定数に達すると確変遊技が終了する。
【００８４】
次に、Ｓ４５３の時短フラグの確認処理において時短フラグが「１」であれば（Ｓ４５３：ｙｅｓ）、Ｓ４５４の処理において前記時短カウンタの時短回数が「０」であるか否かを確認する。時短回数が「０」であれば（Ｓ４５４：ｙｅｓ）、Ｓ４５５の処理において時短フラグをリセット（時短フラグ＝０）する。これにより特図の変動回数が規定数に達したと見做して時短遊技状態から通常遊技状態に戻される。尚、確変カウンタと同様に、時短カウンタも第１特図と第２特図とで共通し、第１特図の変動回数と第２特図の変動回数の合計が規定数に達すると時短遊技が終了する。
続くＳ４５６の状態指定コマンド送信処理では、遊技状態を示す確変フラグや時短フラグの情報等を含む状態指定コマンドを、サブ統合制御装置４２及び演出図柄制御装置４３へ送信する。その後、リターンした後に「特別遊技処理」へ移行する。
【００８５】
図１７に示すように、「特別遊技処理（特許請求の範囲に記載の大当り遊技実行手段に相当）」は、先ず、Ｓ５００の処理において特別電動役物が作動中であるか否かを確認し、作動中でなければ（Ｓ５００：ｎｏ）リターンする。特別電動役物が作動中であれば（Ｓ５００：ｙｅｓ）、Ｓ５０１の処理において役物連続作動装置が作動中であるか否かを確認し、作動中であれば（Ｓ５０１：ｙｅｓ）、Ｓ５０２の処理で大入賞口２５が開放中か否かを確認する。尚、前記Ｓ５０１で役物連続作動装置が作動中でなければ（Ｓ５０１：ｎｏ）、小当り遊技処理へ移行する。
Ｓ５０２の処理で大入賞口２５が開放中でなければ（Ｓ５０２：ｎｏ）、Ｓ５０３の処理においてインターバル中であるか否かを確認し、インターバル中でなければ（Ｓ５０３：ｎｏ）、Ｓ５０４の処理において大当り終了演出中であるか否かを確認する。大当り終了演出中でなければ（Ｓ５０４：ｎｏ）、Ｓ５０５の処理において大当り開始演出時間が経過したか確認し、大当り開始演出時間が経過していれば（Ｓ５０５：ｙｅｓ）、Ｓ５０６の大入賞口開放処理で大入賞口２５を開放してリターンする。
【００８６】
前記Ｓ５０２の処理で大入賞口開放中であれば（Ｓ５０２：ｙｅｓ）、図１８に示すように、Ｓ５１０の処理において大入賞口２５に規定入賞数である１０個の入賞があったか否かの確認、又はＳ５１１の処理における大入賞口２５の開放時間が終了したか否かを確認して、いずれか確認できれば（Ｓ５１０又はＳ５１１：ｙｅｓ）、Ｓ５１２の処理において大入賞口２５を閉鎖し、Ｓ５１３の処理において大当りインターバル処理を実行してリターンする。大当りインターバル処理では、サブ統合制御装置４２及び演出図柄制御装置４３へ大当りのインターバル演出を開始させるようにコマンドを送信する。
【００８７】
図１７の前記Ｓ５０３の処理でインターバル中であれば（Ｓ５０３：ｙｅｓ）、図１９のＳ５２０の処理で大当りインターバル時間が経過したか確認し、経過していれば（Ｓ５２０：ｙｅｓ）、Ｓ５２１の処理において最終ラウンドであるか否かを確認し、最終ラウンドであれば、（Ｓ５２１：ｙｅｓ）、Ｓ５２２で大当り終了演出の処理を実行し、この処理でサブ統合制御装置４２及び演出図柄制御装置４３に大当り終了コマンドを送信し、大当り遊技を終了してリターンする。
一方、最終ラウンドでなければ、（Ｓ５２１：ｎｏ）、Ｓ５２３の処理において大入賞口２５の開放処理を実行してリターンする。
【００８８】
図１７の前記Ｓ５０４の処理で大当り終了演出中であれば（Ｓ５０４：ｙｅｓ）、図２０に示すように、Ｓ５３０の処理において大当り終了演出時間の終了時間が経過したか確認し、経過していれば（Ｓ５３０：ｙｅｓ）、役物連続作動装置の作動を停止する処理（Ｓ５３１）を実行し、条件装置の作動を停止する処理（Ｓ５３２）を実行する。
【００８９】
続く、Ｓ５３３〜Ｓ５３８の処理では、前記Ｓ３１４又は前記Ｓ４１４の「大当り設定処理」で設定された設定内容を参照し、大当り遊技後の遊技状態を設定する。即ちＳ３１４又は前記Ｓ４１４において、大当り遊技終了後に確変遊技状態に移行されるか確認し（確変設定フラグを確認する）、移行される場合（Ｓ５３３：ｙｅｓ）は、確変回数（確変カウンタのカウント値）の設定処理（Ｓ５３４）および確変フラグをセット（確変フラグ＝１）する処理（Ｓ５３５）を行う。
次にＳ５３６の処理において大当り遊技終了後に時短遊技状態に移行されるか確認し（時短設定フラグを確認する）、移行される場合（Ｓ５３６：ｙｅｓ）は、時短回数（時短カウンタのカウント値）の設定処理（Ｓ５３７）および時短フラグをセット（時短フラグ＝１）する処理（Ｓ５３８）を行う。
その後、Ｓ５３９の処理においてサブ統合制御装置４２及び演出図柄制御装置４３へ大当り遊技終了のコマンドを送信するとともに、状態指定コマンドとして前記特典遊技か否かの情報をサブ統合制御装置４２及び演出図柄制御装置４３へ送信する。
【００９０】
次にＳ５４０の処理において、当該大当り遊技の起因となった特図以外の特図（他方の特図）において変動時間又は確定時間の計測が中断されているか否かを確認し、他方の特図が中断中であれば（Ｓ５４０：ｙｅｓ）、Ｓ５４１の処理において計測の再開処理を行なう（特許請求の範囲に記載の計測再開手段に相当）。
【００９１】
図２１に示すように、「小当り遊技処理（特許請求の範囲に記載の小当り遊技実行手段に相当）」は、先ず、Ｓ６００の処理において特別電動役物が作動中であるか否かを確認し、作動中であれば（Ｓ６００：ｙｅｓ）、Ｓ６０１の処理で小当り開始演出中であるか否かを確認する。尚、Ｓ６００で特別電動役物が作動中でなければ（Ｓ６００：ｎｏ）、リターンする。
Ｓ６０１の処理で小当り開始演出中であれば（Ｓ６０１：ｙｅｓ）、Ｓ６０２の処理において小当り開始演出時間が経過したか確認し、演出時間の経過が確認できれば（Ｓ６０２：ｙｅｓ）、続くＳ６０３の大入賞口開放処理において、大入賞口２５を開放作動せしめる。その後、リターンする。
尚、小当り遊技の大入賞口２５の開放態様は、開放時間が約１．８秒とされる。一方、前記Ｓ６０２の処理で小当り開始演出時間が経過していなければ（Ｓ６０２：ｎｏ）、リターンする。
【００９２】
前記Ｓ６０１の処理で小当り開始演出中でなければ（Ｓ６０１：ｎｏ）、Ｓ６０４の処理において大入賞口２５が開放中か否か確認し、開放中であれば（Ｓ６０４：ｙｅｓ）、大入賞口２５に規定入賞数である１０個の入賞があったか否かの確認（Ｓ６０５）、又は大入賞口２５の開放時間が終了したか否かを確認して（Ｓ６０６）、いずれか確認できれば（Ｓ６０５又はＳ６０６：ｙｅｓ）、Ｓ６０７の処理において大入賞口２５を閉鎖して、リターンする。
小当り遊技の大入賞口２５の開放時間は約１．８秒とされている。
【００９３】
前記Ｓ６０４の処理で大入賞口２５が開放中でなければ（Ｓ６０４：ｎｏ）、図２２に示すように、Ｓ６１０の処理で小当り終了時間が経過したか否か確認する。小当り終了時間が経過していれば（Ｓ６１０：ｙｅｓ）、Ｓ６１１の処理において特別電動役物の作動を停止し、続くＳ６１２の処理でサブ統合制御装置４２及び演出図柄制御装置４３へ小当り終了コマンドを送信する。
【００９４】
次にＳ６１３の処理において、当該小当り遊技の起因となった特図以外の特図（他方の特図）において変動時間又は確定時間の計測が中断されているか否かを確認し、他方の特図が中断中であれば（Ｓ６１３：ｙｅｓ）、Ｓ６１４の処理において計測の再開処理を行なう（特許請求の範囲に記載の計測再開手段に相当）。
【００９５】
図２３乃至２６に示すタイミングチャートに基づいて本パチンコ機の第１特図と第２特図の同時変動に関する作動を説明する。
図２３（ａ）に示すように、第１特図の大当りとなる大当り変動（１）中に第２特図の小当りとなる小当り変動（２）が開始されて同時変動となり、第１特図の大当り変動（１）が終了して大当り図柄の確定表示（１ｆ）が開始されると、前記第２特図の小当り変動（２）の変動時間の計測が中断（２ｓ）される。小当り変動は継続される。
前記第１特図の確定表示（１ｆ）が終了するとほぼ同時に特別電動役物及び役物連続作動装置がともに作動する大当り遊技（３１）が開始される。該大当り遊技が終了すると、前記第２特図の中断されている小当り変動時間の計測が再開される。また第１特図の保留記憶があれば次の変動（４）が開始される（図例ではハズレとなるハズレ変動）。
【００９６】
再開された前記第２特図の小当り変動が終了して小当り図柄の確定表示（２ｆ）が開始されると、前記第１特図のハズレ変動（４）の変動時間の計測が中断（４ｓ）される。変動は継続される。
前記第２特図の確定表示（２ｆ）が終了するとほぼ同時に特別電動役物のみが作動する小当り遊技（５２）が開始される。該小当り遊技が終了すると、前記第１特図の中断されているハズレ変動時間の計測が再開される。
また第２特図の保留記憶があれば次の変動（６）が開始される（図例ではハズレとなる変動）。
【００９７】
図２３（ｂ）に示すように、第１特図の大当り変動（１）と第２特図の小当たり変動（２）との同時変動中、該第２特図の小当り変動が終了して小当り図柄の確定表示（２ｆ）が開始されると、前記第１特図の大当り変動（１）の変動時間の計測が中断（１ｓ）される。変動は継続される。
前記第２特図の確定表示（２ｆ）が終了するとほぼ同時に特別電動役物のみが作動する小当り遊技（５２）が開始される。該小当り遊技が終了すると、前記第１特図の中断されている大当り変動時間の計測が再開される。
また第２特図の保留記憶があれば次の変動が開始される。この場合、第１特図が大当り変動中であるので新たに開始される第２特図の変動は強制的にハズレ変動（６）とされる。
【００９８】
再開された前記第１特図の大当り変動が終了して大当り図柄の確定表示（１ｆ）が開始されると、前記第２特図のハズレ変動（６）の変動時間の計測が中断（６ｓ）される。変動は継続される。
前記第１特図の確定表示（１ｆ）が終了するとほぼ同時に特別電動役物及び役物連続作動装置がともに作動する大当り遊技（３１）が開始される。該大当り遊技が終了すると、前記第２特図の中断されているハズレ変動時間の計測が再開される。
また第１特図の保留記憶があれば次の変動（４）が開始される（図例ではハズレとなる変動）。
【００９９】
このように、一方の特図が大当り変動中には、他方の特図の小当り変動又はハズレ変動が実施可能とされている。ただし他方の変動が大当りとなる変動であってもハズレ変動とされる。また、一方の特図のハズレ図柄の確定表示が終了しても他方の特図の変動及び確定表示の時間計測が中断されない。
【０１００】
図２４（ａ）に示すように、第１特図の小当り変動（７）中に第２特図の大当り変動（８）が開始されて同時変動となり、第１特図の小当り変動（７）が終了して小当り図柄の確定表示（７ｆ）が開始されると、前記第２特図の大当り変動（８）の変動時間の計測が中断（８ｓ）される。大当り変動は継続される。
前記第１特図の確定表示（７ｆ）が終了するとほぼ同時に特別電動役物のみが作動する小当り遊技（５１）が開始される。該小当り遊技が終了すると、前記第２特図の中断されている大当り変動時間の計測が再開される。
また第１特図の保留記憶があれば次の変動が開始される。この場合、第２特図が大当り変動中であるので新たに開始される第１特図の変動は強制的にハズレ変動（４）とされる。
【０１０１】
再開された前記第２特図の大当り変動が終了して大当り図柄の確定表示（８ｆ）が開始されると、前記第１特図のハズレ変動（４）の変動時間の計測が中断（４ｓ）される。変動は継続される。
前記第２特図の確定表示（８ｆ）が終了するとほぼ同時に特別電動役物及び役物連続作動装置が作動する大当り遊技（３２）が開始される。該大当り遊技が終了すると、前記第１特図の中断されているハズレ変動時間の計測が再開される。
また第２特図の保留記憶があれば次の変動（６）が開始される。
【０１０２】
図２４（ｂ）に示すように、第１特図の小当り変動（７）と第２特図の大当たり変動（８）との同時変動中、該第２特図の大当り変動が終了して大当り図柄の確定表示（８ｆ）が開始されると、前記第１特図の小当り変動（７）の変動時間の計測が中断（７ｓ）される。変動は継続される。
前記第２特図の確定表示（８ｆ）が終了するとほぼ同時に特別電動役物及び役物連続作動装置が作動する大当り遊技（３２）が開始される。該大当り遊技が終了すると、前記第１特図の中断されている小当り変動時間の計測が再開される。
また第２特図の保留記憶があれば次の変動（６）が開始される。
【０１０３】
再開された前記第１特図の小当り変動が終了して小当り図柄の確定表示（７ｆ）が開始されると、前記第２特図のハズレ変動（６）の変動時間の計測が中断（６ｓ）される。変動は継続される。
前記第１特図の確定表示（７ｆ）が終了するとほぼ同時に特別電動役物のみが作動する小当り遊技（５１）が開始される。該小当り遊技が終了すると、前記第２特図の中断されているハズレ変動時間の計測が再開される。
また第１特図の保留記憶があれば次の変動（４）が開始される。
【０１０４】
このように、一方の特図が小当り変動中には、他方の特図の変動が大当り変動であっても実施される。尚、いずれの特図においても大当りの確定及び小当りの確定表示の表示時間の計測の中断は行なわれない。
【０１０５】
図２５に示すように、第１特図の小当り変動（７）中に第２特図の小当り変動（２）が開始されて同時変動となり、第１特図の小当り変動（７）が終了して小当り図柄の確定表示（７ｆ）が開始されると、前記第２特図の小当り変動（２）の変動時間の計測が中断（２ｓ）される。小当り変動は継続される。
前記第１特図の確定表示（７ｆ）が終了するとほぼ同時に特別電動役物のみが作動する小当り遊技（５１）が開始される。該小当り遊技が終了すると、前記第２特図の中断されている小当り変動時間の計測が再開される。また第１特図の保留記憶があれば次の変動（４）が開始される。
【０１０６】
再開された前記第２特図の小当り変動が終了して小当り図柄の確定表示（２ｆ）が開始されると、前記第１特図のハズレ変動（４）の変動時間の計測が中断（４ｓ）される。変動は継続される。
前記第２特図の確定表示（２ｆ）が終了するとほぼ同時に特別電動役物のみが作動する小当り遊技（５２）が開始される。該小当り遊技が終了すると、前記第１特図の中断されているハズレ変動時間の計測が再開される。
また第２特図の保留記憶があれば次の変動（６）が開始される。
【０１０７】
図２６（ａ）に示すように、第１特図の大当り変動（１）中に第２特図のハズレ変動（６）が開始されて同時変動となり、かつ第２特図のハズレ変動（６）が終了してハズレ図柄の確定表示（６ｆ）中に、第１特図の大当り変動（１）が終了して大当り図柄の確定表示（１ｆ）が開始されると、前記第２特図のハズレ図柄の確定表示の確定表示時間の計測が中断（６ｔ）される。ハズレ図柄の確定表示は継続される。尚、第２特図の変動は大当りとなる変動であっても第１特図の大当り変動中であるため、ハズレ変動とされる。
前記第１特図の確定表示（１ｆ）が終了するとほぼ同時に特別電動役物及び役物連続作動装置がともに作動する大当り遊技（３１）が開始される。該大当り遊技が終了すると、前記第２特図の中断されているハズレ図柄の確定表示時間の計測が再開される。また第１特図の保留記憶があれば次の変動（４）が開始され、更に、第２特図始動口へ入球があればこれに起因する変動（６）が開始される。
【０１０８】
図２６（ｂ）に示すように、第１特図のハズレ変動（４）中に第２特図の小当り変動（２）が開始されて同時変動となり、かつ第１特図のハズレ変動（４）が終了してハズレ図柄の確定表示（４ｆ）中に、第２特図の小当り変動（２）が終了して小当り図柄の確定表示（２ｆ）が開始されると、前記第１特図のハズレ図柄の確定表示の確定表示時間の計測が中断（４ｔ）される。ハズレ図柄の確定表示は継続される。
前記第２特図の確定表示（２ｆ）が終了するとほぼ同時に特別電動役物のみが作動する小当り遊技（５２）が開始される。該小当り遊技が終了すると、前記第１特図の中断されているハズレ図柄の確定表示時間の計測が再開される。また第２特図の保留記憶があれば次の変動（６）が開始され、更に、第１特図始動口へ入球があればこれに起因する変動（４）が開始される。
【０１０９】
また本パチンコ機１では、図２８（ａ）に示すように、主制御装置４０により制御される第１特図表示装置２８Ａ及び第２特図表示装置２８Ｂの図柄変動は、変動時間の計測時と変動時間計測の中断時とで表示態様を同じにする。一方、サブ統合制御装置４２及び演出図柄制御装置４３により制御される演出図柄表示装置２１の演出表示の形態は、変動時間の計測時と変動時間計測の中断時とで表示態様を相違させている。
例えば第１特図表示装置２８Ａ及び第２特図表示装置２８Ｂの図柄変動は、計測時、計測中断時ともに図柄を高速変動させる。尚、計測時と中断時とで表示色を変えて区別するようにしてもよい。
一方、演出図柄表示装置２１の変動時の演出表示は、変動時間の計測時では所定の演出を行ない、変動時間計測の中断時では計測時と同様の所定の演出と変動時間計測の中断中であることを示す表示を組み合わせる。
【０１１０】
また図２８（ｂ）に示すように、主制御装置４０により制御される第１特図表示装置２８Ａ及び第２特図表示装置２８Ｂの図柄の確定表示は、確定表示時間の計測時と確定表示時間計測の中断時とで表示態様を同じにする。一方、サブ統合制御装置４２及び演出図柄制御装置４３により制御される演出図柄表示装置２１の演出表示の形態は、確定表示時間の計測時と確定表示時間計測の中断時とで表示態様を相違させている。
例えば第１特図表示装置２８Ａ及び第２特図表示装置２８Ｂの図柄の確定表示は、計測時、計測中断時ともに確定図柄を点灯表示させる。尚、計測時と中断時とで表示色を変えて区別するようにしてもよい。
一方、演出図柄表示装置２１の確定時の演出表示は、確定表示時間の計測時では３つの図柄の表示を行ない、確定表示時間計測の中断時では計測時と同様の３つの図柄の表示と確定表示時間計測の中断中であることを示す表示を組み合わせる。
【０１１１】
図２９は演出図柄表示装置２１で実行される演出表示の表示態様を示す。図２９（ａ）は第１特図の変動と第２特図の変動との同時変動の演出表示を示すもので、演出図柄表示装置２１の画面を上下に分割して、上半部に３桁の数字からなる第１特図擬似表示２１０を変動表示するとともに、第１特図の保留記憶表示２１２を行う。
下半部には３桁の数字からなる第２特図擬似表示２１１を変動表示するとともに、第２特図の保留記憶表示２１３を行う。
【０１１２】
そして図２９（ｂ）に示すように、一方の特図が大当り図柄又は小当り図柄で確定表示される、即ち、図例のように第１特図擬似表示２１０が３桁の数字を揃えた大当り図柄で確定表示されると、第２特図（他方の特図）は、第２特図擬似表示２１１を変動表示は維持されるもののこれと重なるように、計測中断中表示２１４を行う。
【０１１３】
次に一方の特図がハズレ図柄の確定表示中に、他方の特図が大当り図柄又は小当り図柄で確定表示された場合の表示態を図２９（ｃ）に示す。図例では、第２特図がハズレ図柄で確定表示中に第１特図が大当り図柄で確定表示された場合であり、第１特図擬似表示２１０は３桁の数字を揃えた大当り図柄で確定表示される一方、確定表示時間が中断された第２特図は、不揃いの３桁の数字からなる第２特図擬似表示２１１と、これと重なるように、計測中断中表示２１４を行う。
【０１１４】
本実施形態のパチンコ機１によれば、第１特図と第２特図の同時変動中、第１特図表示装置２８Ａ又は第２特図表示装置２８Ｂのいずれか一方の特図表示装置にて、小当りを示す図柄での確定表示及び大当りを示す図柄での確定表示が開始された場合には、他方の特図表示装置での図柄変動の時間計測又は確定表示の時間計測を中断させるので、前記小当りの場合、前記大当りの場合いずれであっても同じ内容の制御ですむ。更に、前記他方の特図表示装置での処理が変動中であっても確定表示中であっても、時間の計測を中断するといった同じ内容の制御ですみ、第１特図表示装置２８Ａ又は第２特図表示装置２８Ｂを制御する主制御装置４０の処理負担を大幅に軽減することができる。
また、第１特図表示装置２８Ａ又は第２特図表示装置２８Ｂのいずれか一方の特図表示装置にて、大当りになる変動が開始されると、他方の特図表示装置にて開始される変動は、大当りとなる場合であってもハズレとなる変動が開始されるが、小当りとなる場合には、そのまま、小当りの変動が行われ、その後に小当り遊技が実行されるので、第１特別図柄と第２特別図柄との同時大当りを回避しつつ、遊技者に不利な遊技とならない。
【０１１５】
また、第１特図と第２特図の同時変動中、第１特図表示装置２８Ａ又は第２特図表示装置２８Ｂのいずれか一方の特図表示装置にて、小当りになる変動が開始されると、他方の特図表示装置にて開始される変動は、大当りとなる変動であれば、そのまま変動が開始され、小当りとなる変動であっても、そのままそのまま変動が開始され、大当り又は小当りが消滅することがないので、遊技者に不利な遊技とならない。
【０１１６】
更に、変動表示、確定表示における計測時も計測中断時も、主制御装置４０が制御する第１及び第２特図表示装置２８Ａ，２８Ｂは同じ態様の表示を行うので主制御装置４０に処理負担をかけないで済む上、サブ統合制御装置４２及び演出図柄制御装置４３が制御する演出図柄表示装置２１により、計測中であるか計測中断中であるかを遊技者に好適に報知することができる。
【０１１７】
次に本発明を適用した第２の実施形態のパチンコ機を説明する。本実施形態のパチンコ機は、第１特図と第２特図の同時変動中、第１特図又は第２特図のいずれか一方の特図が小当り図柄での確定表示又は大当り図柄での確定表示がなされ、かつ該確定表示が終了したときに、他方の特図の図柄変動の時間計測又は確定表示の時間計測を中断させる構成である。
尚、本実施形態のパチンコ機の基本構成は、前記第１の実施形態のそれとほぼ同じであり、相違点を中心に説明する。
【０１１８】
図３０乃至図３３は本パチンコ機の主制御装置４０で実行される「第１特図当否判定処理２」のフローチャートを示す。本パチンコ機では、第１特図の当否判定処理と第２特図の当否判定処理とが個別に実行される構成で、本処理において第１特図の当否判定が実行される。
図３０に示すように、先ずＳ７００の処理において大入賞口２５を開放させるための特別電動役物が作動中か確認し、作動中であれば（Ｓ７００：ｙｅｓ）リターンする。一方、特別電動役物が作動していなければ（Ｓ７００：ｎｏ）、Ｓ７０１の処理において第１特図の図柄変動時間の計測又は図柄確定表示時間の計測が中断中であるか否かを確認する。中断中であれば（Ｓ７０１：ｙｅｓ）リターンする。
一方、計測が中断中でなければ（Ｓ７０１：ｎｏ）、Ｓ７０２の処理において第１特図が変動中であるか否かを確認し、変動中でなければ（Ｓ７０２：ｎｏ）、Ｓ７０３の処理において第１特図の確定図柄が表示されているか否かを確認する。
【０１１９】
前記Ｓ７０３の処理において確定図柄が表示中でなければ（Ｓ７０３：ｎｏ）、図３１に示すように、Ｓ７０５の処理において第１特図の保留記憶（第１保留記憶）があるか確認する。保留記憶がなければ（Ｓ７０５：ｎｏ）リターンする。保留記憶があれば（Ｓ７０５：ｙｅｓ）、Ｓ７０６の処理において記憶数を減算し、保留記憶のシフト処理を行う。該シフト処理により第１特図の保留記憶のうち最も古い保留記憶が当否判定の対象となる。
【０１２０】
次にＳ７０７の処理で確変フラグを確認して現在の遊技状態が大当りとなる確率が高い確変遊技状態であるか否かを確認する（確変フラグが「１」であれば確変中）。確変中であれば（Ｓ７０７：ｙｅｓ）、Ｓ７０８の処理において確変時の当否判定用テーブルと前記当否判定の対象となる保留記憶の大当り決定用乱数とを対比して大当りか否か当否判定を行う。
確変中でなければ（Ｓ７０７：ｎｏ）、Ｓ７０９の処理において通常確率（低確率）の当否判定用テーブルと前記大当り決定用乱数とを対比して大当りか否か当否判定を行う。
【０１２１】
続くＳ７１０の処理では、前記Ｓ７０８又はＳ７０９の処理の当否判定が大当りか否かの確認を行う（特許請求の範囲に記載の当否判定手段に相当）。
大当りであれば（Ｓ７１０：ｙｅｓ）、Ｓ７１１の処理において第２特図が大当りとなる図柄変動中であるか否か又は大当りとなる図柄確定表示中であるか否を確認する。大当りとなる変動中又は確定表示中であれば（Ｓ７１１：ｙｅｓ）、後述するＳ７２０の処理に移行して強制的にハズレ判定に切り替えられる（特許請求の範囲に記載の切替変動制御手段に相当）。
一方、大当りとなる変動中又は確定表示中でなければ（Ｓ７１１：ｎｏ）、Ｓ７１２の処理において前記当否判定の対象となる保留記憶の大当り図柄決定用乱数に基づいて大当り図柄を決定する。例えば大当り図柄決定用乱数を２０通りの乱数から抽出するようになし、該乱数に応じて図２７に示す２０種類の大当り図柄より１つの大当り図柄が決定される。
【０１２２】
続くＳ７１３の処理では、前記当否判定の対象となる保留記憶の変動パターン決定用乱数に基づいて、第１特図表示装置２８Ａに表示される特図の大当り用の変動時間などといった変動パターンを決定する（特許請求の範囲に記載の変動時間決定手段に相当）。
【０１２３】
変動パターンの決定後、Ｓ７１４で大当り設定処理を行う。この処理では、前記決定された大当り図柄に基づき、大当り遊技の開放パターンの設定を行う。また、該大当り設定処理では、開放パターンの設定の他にも、例えば演出図柄表示装置２１で実行される大当り遊技のオープニング演出の時間の設定、エンディング演出の時間の設定、大入賞口２５の開放態様、大当り遊技終了後の遊技状態等の設定がなされる。大当り遊技終了後の遊技状態を前記確変遊技状態に移行する場合は「確変設定フラグ」をセットする（確変設定フラグ＝１）。また、大当り遊技終了後の遊技状態を前記時短遊技状態に移行する場合は「時短設定フラグ」をセットする（時短設定フラグ＝１）。
【０１２４】
続くＳ７１５の処理では、第１特図表示装置２８Ａの図柄変動開始制御を行い（特許請求の範囲に記載の特別図柄変動制御手段に相当）、サブ統合制御装置４２及び演出図柄制御装置４３へ第１特図に対応する擬似演出図柄の変動開始コマンド、図柄指定コマンドを送信し、リターンして第１の実施形態と同様に「特別遊技処理」（図１７参照）「特別遊技処理」へ移行する。尚、変動開始コマンド、図柄指定コマンドには特図の変動パターン、特図の当否判定の判定結果などが含まれる。
【０１２５】
前記Ｓ７１０の処理において大当りでなければ（Ｓ７１０：ｎｏ）、Ｓ７１６の処理において前記Ｓ７０８又はＳ７０９の処理の当否判定が小当りか否かの確認を行う。
小当りであれば（Ｓ７１６：ｙｅｓ）、Ｓ７１７の処理において前記当否判定の対象となる保留記憶の小当り図柄決定用乱数に基づいて小当り図柄を決定する。例えば図２７に示す２種類の小当り図柄より１つの小当り図柄が決定される。
【０１２６】
続くＳ７１８の処理では、前記当否判定の対象となる保留記憶の変動パターン決定用乱数に基づいて、第１特図表示装置２８Ａに表示される特図の小当り用の変動時間などといった変動パターンを決定する（特許請求の範囲に記載の変動時間決定手段に相当）。
【０１２７】
変動パターンの決定後、Ｓ７１９で小当り設定処理を行う。この処理では、前記決定された小当り図柄に基づき、小当り遊技の開放パターンの設定を行う。また、該小当り設定処理では、この他に、例えば演出図柄表示装置２１で実行される小当り遊技のオープニング演出の時間の設定、エンディング演出の時間の設定、大入賞口２５の開放態様等の設定がなされる。更に遊技状態が確変遊技状態や時短遊技状態であれば、これらの継続期間をカウントする「確変カウンタ」及び「時短カウンタ」の減算処理等を行なう。
その後、大当りと同様に、前記Ｓ７１５の処理が実行され、その後、リターンして「特別遊技処理」へ移行する。
【０１２８】
前記Ｓ７１０及びＳ７１６の処理において大当りでも小当りでもなければ（Ｓ７１０、Ｓ７１６：ｎｏ）、ハズレとなって、Ｓ７２０の処理において、第１特図表示装置２８Ａに表示される特図のハズレ用の変動時間などといった変動パターンを決定する（特許請求の範囲に記載の変動時間決定手段に相当）。続くＳ７２１のハズレ設定処理では、遊技状態が確変遊技状態や前記時短遊技状態であれば、これらの継続期間をカウントする前記「確変カウンタ」及び「時短カウンタ」の減算処理等を行なう。
その後、大当り、小当りと同様に、前記Ｓ７１５の処理が実行され、その後、リターンして「特別遊技処理」へ移行する。
【０１２９】
前記図３０の前記Ｓ７０２の処理で、第１特図が変動中であれば（Ｓ７０２：ｙｅｓ）、図３２に示すように、Ｓ７２５の処理において特図の変動時間が経過したか否かを確認し、これを確認すると（Ｓ７２５：ｙｅｓ）、Ｓ７２６の確定図柄表示処理により第１特図表示装置２８Ａの変動表示を終了させるとともに確定図柄表示の制御を行い、サブ統合制御装置４２及び演出図柄制御装置４３へ擬似演出図柄の変動表示及び演出表示を終了させるように図柄確定コマンドを送信し、リターンした後に「特別遊技処理」へ移行する。
【０１３０】
前記Ｓ７２５の処理において第１特図の変動時間が経過していなければ（Ｓ７２５：ｎｏ）、Ｓ７２７の処理において第２特図の大当り又は小当りとなる図柄の確定表示が終了したか否かを確認する。前記確定表示の終了が確認されれば（Ｓ７２７：ｙｅｓ）、Ｓ７２８の処理において第１特図の変動時間の計測を中断する（特許請求の範囲に記載の計測中断手段に相当）。尚、第１特図の変動は継続され、その後に計測が再開されて変動時間が終了するまで続けられる。
【０１３１】
図３０の前記Ｓ７０３の処理で、第１特図の確定図柄が表示中であれば（Ｓ７０３：ｙｅｓ）、図３３に示すように、Ｓ７３０の処理において第２特図の大当り又は小当りとなる図柄の確定表示が終了したか否かを確認し、確定表示の終了が確認されれば（Ｓ７３０：ｙｅｓ）、Ｓ７３１の処理において第１特図の確定表示の表示時間の計測を中断する（特許請求の範囲に記載の計測中断手段に相当）。尚、第１特図の確定表示は継続され、その後に計測が再開されて確定表示時間が終了するまで続けられる。
【０１３２】
前記Ｓ７３０の処理で第２特図の大当り又は小当りとなる図柄の確定表示が終了していなければ（Ｓ７３０：ｎｏ）、Ｓ７３２の処理にて第１特図の確定図柄表示時間が終了したか確認する。尚、ハズレ図柄の確定表示時間、小当り図柄の確定表示時間、大当り図柄の確定表示時間（大当り図柄に関係なく）は、全て０．６秒とされている。確定図柄表示時間が終了していなければ（Ｓ７３２：ｎｏ）、リターンした後に「特別遊技処理」へ移行する。
一方、確定図柄表示時間が終了したことを確認すると（Ｓ７３２：ｙｅｓ）、続くＳ７３３の確定図柄表示終了の処理により第１特図表示装置２８Ａの第１特図の確定図柄表示を終了させる制御を行い、サブ統合制御装置４２及び演出図柄制御装置４３へ特図に対応する擬似演出図柄の確定表示を終了させるようにコマンドを送信する。
確定表示時間は、前記０．６秒に限るものではない。またハズレ図柄、小当り図柄、大当り図柄に応じて確定時間を変えてもよい。
【０１３３】
続いてＳ７３４の処理において第１特図の図柄が大当りになる組合せであるか否かを確認し、大当りになる組合せであれば（Ｓ７３４：ｙｅｓ）、Ｓ７３５の確変フラグの確認処理において確変フラグが「１」であれば（Ｓ７３５：ｙｅｓ）、Ｓ７３６の処理において確変フラグをリセット（確変フラグ＝０）する。次に、Ｓ７３７の時短フラグの確認処理において時短フラグが「１」であれば（Ｓ７３７：ｙｅｓ）、Ｓ７３８の処理において時短フラグをリセット（時短フラグ＝０）する。これらの処理により第１特図に起因する大当り遊技中での遊技状態を通常状態にリセットする。
【０１３４】
次にＳ７３９の処理において特別電動役物の作動開始の設定を行ない、続くＳ７４０の処理では条件装置の作動を開始させる。更にＳ７４１の処理では役物連続作動装置の作動を開始させる。特別電動役物は大入賞口２５の開閉作動に必要なものであり、条件装置は大当り遊技で役物連続作動装置の作動に必要な装置であり、役物連続作動装置は特別電動役物を連続して作動させる装置である。
そしてＳ７４２の大当り開始演出処理によりサブ統合制御装置４２及び演出図柄制御装置４３へ大当り演出を開始させるようにコマンドを送信し、リターンした後に「特別遊技処理」へ移行する。
【０１３５】
前記Ｓ７３４の処理において大当りになる組合せでなければ（Ｓ７３４：ｎｏ）、Ｓ７４３の処理において第１特図の図柄が小当りになる組合せであるか否かを確認する。小当りになる組合せであれば（Ｓ７４３：ｙｅｓ）、Ｓ７４４の処理において特別電動役物の作動開始の設定を行ない、そしてＳ７４５の小当り開始演出処理によりサブ統合制御装置４２及び演出図柄制御装置４３へ小当り演出を開始させるようにコマンドを送信する。
【０１３６】
前記Ｓ７４５の処理の後、又は前記Ｓ７４３の処理において小当りになる組合せでない場合（Ｓ７４３：ｎｏ）、前記第１の実施形態の「第１特図当否判定処理１」と同様に図１１に示す前記Ｓ３５０から前記Ｓ３５６と同様の処理が実行される。その後、第１の実施形態と同様に「特別遊技処理」（図１７参照）及び「小当り遊技処理」（図２１参照）が実行される。
【０１３７】
次に図３４乃至図３７に基づいて主制御装置４０で実行される「第２特図当否判定処理２」を説明する。
本処理では、図３４に示すように、Ｓ８００の処理において大入賞口２５を開放させるための特別電動役物が作動中か確認し、作動中であれば（Ｓ８００：ｙｅｓ）リターンする。一方、特別電動役物が作動していなければ（Ｓ８００：ｎｏ）、Ｓ８０１の処理において第２特図の図柄変動時間の計測又は図柄確定表示時間の計測が中断中であるか否かを確認する。中断中であれば（Ｓ８０１：ｙｅｓ）リターンする。
一方、計測が中断中でなければ（Ｓ８０１：ｎｏ）、Ｓ８０２の処理において第２特図が変動中であるか否かを確認し、変動中でなければ（Ｓ８０２：ｎｏ）、Ｓ８０３の処理において第２特図の確定図柄が表示されているか否かを確認する。
【０１３８】
前記Ｓ８０３の処理において確定図柄が表示中でなければ（Ｓ８０３：ｎｏ）、図３５に示すように、Ｓ８０５の処理において第２特図の保留記憶（第２保留記憶）があるか確認する。保留記憶がなければ（Ｓ８０５：ｎｏ）リターンする。保留記憶があれば（Ｓ８０５：ｙｅｓ）、Ｓ８０６の処理において記憶数を減算し、保留記憶のシフト処理を行う。該シフト処理により第２特図の保留記憶のうち最も古い保留記憶が当否判定の対象となる。
【０１３９】
次にＳ８０７の処理で確変フラグを確認して現在の遊技状態が大当りとなる確率が高い確変遊技状態であるか否かを確認する（確変フラグが「１」であれば確変中）。確変中であれば（Ｓ８０７：ｙｅｓ）、Ｓ８０８の処理において確変時の当否判定用テーブルと前記当否判定の対象となる保留記憶の大当り決定用乱数とを対比して大当りか否か当否判定を行う。
確変中でなければ（Ｓ８０７：ｎｏ）、Ｓ８０９の処理において通常確率（低確率）の当否判定用テーブルと前記大当り決定用乱数とを対比して大当りか否か当否判定を行う。
【０１４０】
続くＳ８１０の処理では、前記Ｓ８０８又はＳ８０９の処理の当否判定が大当りか否かの確認を行う（特許請求の範囲に記載の当否判定手段に相当）。
大当りであれば（Ｓ８１０：ｙｅｓ）、Ｓ８１１の処理において第１特図が大当りとなる図柄変動中又は確定表示中であるか否かを確認する。大当りとなる変動中又は確定表示中であれば（Ｓ８１１：ｙｅｓ）、後述するＳ８２０の処理に移行して強制的にハズレ判定に切り替えられる（特許請求の範囲に記載の切替変動制御手段に相当）。
一方、大当りとなる変動中でなければ（Ｓ８１１：ｎｏ）、Ｓ８１２の処理において前記当否判定の対象となる保留記憶の大当り図柄決定用乱数に基づいて大当り図柄を決定する。例えば第１特図の場合と同様に図２７に示す２０種類の大当り図柄より１つの大当り図柄が決定される。
【０１４１】
続くＳ８１３の処理では、前記当否判定の対象となる保留記憶の変動パターン決定用乱数に基づいて、第２特図表示装置２８Ｂに表示される特図の大当り用の変動時間などといった変動パターンを決定する（特許請求の範囲に記載の変動時間決定手段に相当）。
【０１４２】
変動パターンの決定後、Ｓ８１４で大当り設定処理を行う。この処理では、前記決定された大当り図柄に基づき、大当り遊技の開放パターンの設定を行う。また、該大当り設定処理では、開放パターンの設定の他にも、例えば演出図柄表示装置２１で実行される大当り遊技のオープニング演出の時間の設定、エンディング演出の時間の設定、大入賞口２５の開放態様、大当り遊技終了後の遊技状態等の設定がなされる。大当り遊技終了後の遊技状態を前記確変遊技状態に移行する場合は「確変設定フラグ」をセットする（確変設定フラグ＝１）。また、大当り遊技終了後の遊技状態を前記時短遊技状態に移行する場合は「時短設定フラグ」をセットする（時短設定フラグ＝１）。
【０１４３】
続くＳ８１５の処理では、第２特図表示装置２８Ｂの図柄変動開始制御を行い（特許請求の範囲に記載の特別図柄変動制御手段に相当）、サブ統合制御装置４２及び演出図柄制御装置４３へ第２特図に対応する擬似演出図柄の変動開始コマンド、図柄指定コマンドを送信し、リターンして第１の実施形態と同様に「特別遊技処理」（図１７参照）へ移行す
る。尚、変動開始コマンド、図柄指定コマンドには特図の変動パターン、特図の当否判定の判定結果などが含まれる。
【０１４４】
前記Ｓ８１０の処理において大当りでなければ（Ｓ８１０：ｎｏ）、Ｓ８１６の処理において前記Ｓ８０８又はＳ８０９の処理の当否判定が小当りか否かの確認を行う。
小当りであれば（Ｓ８１６：ｙｅｓ）、Ｓ８１７の処理において前記当否判定の対象となる保留記憶の小当り図柄決定用乱数に基づいて小当り図柄を決定する。例えば第１特図の場合と同様に図２７に示す２種類の小当り図柄より１つの小当り図柄が決定される。
【０１４５】
続くＳ８１８の処理では、前記当否判定の対象となる保留記憶の変動パターン決定用乱数に基づいて、第２特図表示装置２８Ｂに表示される特図の小当り用の変動時間などといった変動パターンを決定する（特許請求の範囲に記載の変動時間決定手段に相当）。
【０１４６】
変動パターンの決定後、Ｓ８１９で小当り設定処理を行う。この処理では、前記決定された小当り図柄に基づき、小当り遊技の開放パターンの設定を行う。また、該小当り設定処理では、この他に、例えば演出図柄表示装置２１で実行される小当り遊技のオープニング演出の時間の設定、エンディング演出の時間の設定、大入賞口２５の開放態様等の設定がなされる。更に遊技状態が確変遊技状態や時短遊技状態であれば、これらの継続期間をカウントする「確変カウンタ」及び「時短カウンタ」の減算処理等を行なう。
その後、大当りと同様に、前記Ｓ８１５の処理が実行され、その後、リターンし「特別遊技処理」へ移行する。
【０１４７】
前記Ｓ８１０及びＳ８１６の処理において大当りでも小当りでもなければ（Ｓ８１０、Ｓ８１６：ｎｏ）、ハズレとなって、Ｓ８２０の処理において、第２特図表示装置２８Ｂに表示される特図のハズレ用の変動時間などといった変動パターンを決定する（特許請求の範囲に記載の変動時間決定手段に相当）。続くＳ８２１のハズレ設定処理では、遊技状態が確変遊技状態や前記時短遊技状態であれば、これらの継続期間をカウントする前記「確変カウンタ」及び「時短カウンタ」の減算処理等を行なう。
その後、大当り、小当りと同様に、前記Ｓ８１５の処理が実行され、その後、リターンして「特別遊技処理」へ移行する。
【０１４８】
前記図３４の前記Ｓ８０２の処理で、第２特図が変動中であれば（Ｓ８０２：ｙｅｓ）、図３６に示すように、Ｓ８２５の処理において特図の変動時間が経過したか否かを確認し、これを確認すると（Ｓ８２５：ｙｅｓ）、Ｓ８２６の確定図柄表示処理により第２特図表示装置２８Ｂの変動表示を終了させるとともに確定図柄表示の制御を行い、サブ統合制御装置４２及び演出図柄制御装置４３へ擬似演出図柄の変動表示及び演出表示を終了させるように図柄確定コマンドを送信し、リターンした後に「特別遊技処理」へ移行する。
【０１４９】
前記Ｓ８２５の処理において第２特図の変動時間が経過していなければ（Ｓ８２５：ｎｏ）、Ｓ８２７の処理において第１特図の大当り又は小当りとなる図柄の確定表示が終了したか否かを確認する。前記確定表示の終了が確認されれば（Ｓ８２７：ｙｅｓ）、Ｓ８２８の処理において第２特図の変動時間の計測を中断する（特許請求の範囲に記載の計測中断手段に相当）。尚、第２特図の変動は継続され、その後に計測が再開されて変動時間が終了するまで続けられる。
【０１５０】
図３４の前記Ｓ８０３の処理で、第２特図の確定図柄が表示中であれば（Ｓ８０３：ｙｅｓ）、図３７に示すように、Ｓ８３０の処理において第１特図の大当り又は小当りとなる図柄の確定表示が終了したか否かを確認し、確定表示の終了が確認されれば（Ｓ８３０：ｙｅｓ）、Ｓ８３１の処理において第２特図の確定表示の表示時間の計測を中断する（特許請求の範囲に記載の計測中断手段に相当）。尚、第２特図の確定表示は継続され、その後に計測が再開されて確定表示時間が終了するまで続けられる。
【０１５１】
前記Ｓ８３０の処理で第２特図の大当り又は小当りとなる図柄の確定表示が開始されてなければ（Ｓ８３０：ｎｏ）、Ｓ８３２の処理にて第２特図の確定図柄表示時間が終了したか確認する。尚、ハズレ図柄の確定表示時間、小当り図柄の確定表示時間、大当り図柄の確定表示時間（大当り図柄に関係なく）は、全て０．６秒とされている。確定図柄表示時間が終了していなければ（Ｓ８３２：ｎｏ）、リターンした後に「特別遊技処理」へ移行する。
一方、確定図柄表示時間が終了したことを確認すると（Ｓ８３２：ｙｅｓ）、続くＳ８３３の確定図柄表示終了の処理により第２特図表示装置２８Ｂの第２特図の確定図柄表示を終了させる制御を行い、サブ統合制御装置４２及び演出図柄制御装置４３へ特図に対応する擬似演出図柄の確定表示を終了させるようにコマンドを送信する。
確定表示時間は、前記０．６秒に限るものではない。またハズレ図柄、小当り図柄、大当り図柄に応じて確定時間を変えてもよい。
【０１５２】
続いてＳ８３４の処理において第２特図の図柄が大当りになる組合せであるか否かを確認し、大当りになる組合せであれば（Ｓ８３４：ｙｅｓ）、Ｓ８３５の確変フラグの確認処理において確変フラグが「１」であれば（Ｓ８３５：ｙｅｓ）、Ｓ８３６の処理において確変フラグをリセット（確変フラグ＝０）する。次に、Ｓ８３７の時短フラグの確認処理において時短フラグが「１」であれば（Ｓ８３３７：ｙｅｓ）、Ｓ８３８の処理において時短フラグをリセット（時短フラグ＝０）する。これらの処理により第２特図に起因する大当り遊技中での遊技状態を通常状態にリセットする。
【０１５３】
次にＳ８３９の処理において特別電動役物の作動開始の設定を行ない、続くＳ８４０の処理では条件装置の作動を開始させる。更にＳ８４１の処理では役物連続作動装置の作動を開始させる。条件装置は大当り遊技で役物連続作動装置の作動に必要な装置であり、役物連続作動装置は特別電動役物を連続して作動させる装置である。
そしてＳ８４２の大当り開始演出処理によりサブ統合制御装置４２及び演出図柄制御装置４３へ大当り演出を開始させるようにコマンドを送信し、リターンした後に「特別遊技処理」へ移行する。
【０１５４】
前記Ｓ８３４の処理において大当りになる組合せでなければ（Ｓ８３４：ｎｏ）、Ｓ８４３の処理において第２特図の図柄が小当りになる組合せであるか否かを確認する。小当りになる組合せであれば（Ｓ８４３：ｙｅｓ）、Ｓ８４４の処理において特別電動役物の作動開始の設定を行ない、そしてＳ４４５の小当り開始演出処理によりサブ統合制御装置４２及び演出図柄制御装置４３へ小当り演出を開始させるようにコマンドを送信する。
【０１５５】
前記Ｓ８４５の処理の後、又は前記Ｓ８４３の処理において小当りになる組合せでない場合（Ｓ８４３：ｎｏ）、前記第１の実施形態の「第２特図当否判定処理１」と同様に図１６に示す前記Ｓ４５０から前記Ｓ４５６と同様の処理が実行される。その後、第１の実施形態と同様に「特別遊技処理」（図１７参照）及び「小当り遊技処理」（図２１参照）が実行される。
【０１５６】
図３８乃至４１に示すタイミングチャートに基づいて本パチンコ機の第１特図と第２特図の同時変動に関する作動を説明する。
図３８（ａ）に示すように、第１特図の大当りとなる大当り変動（１）中に第２特図の小当りとなる小当り変動（２）が開始されて同時変動となり、第１特図の大当り変動（１）が終了して大当り図柄の確定表示（１ｆ）が開始され、更に第２特図の小当り変動（２）が終了して小当り図柄の確定表示（２ｆ）が開始され、更にまた第１特図の確定表示が終了すると、前記第２特図の小当り確定表示（２ｆ）の確定表示時間の計測が中断（２ｔ）される。小当り確定表示は継続される。
前記第１特図の確定表示（１ｆ）の終了とほぼ同時に特別電動役物及び役物連続作動装置がともに作動する大当り遊技（３１）が開始される。該大当り遊技が終了すると、前記第２特図の中断されている小当り確定表示時間の計測が再開される。また第１特図の保留記憶があれば次の変動（４）が開始される（図例ではハズレとなるハズレ変動）。
【０１５７】
再開された前記第２特図の小当り確定表示が終了すると、前記第１特図のハズレ変動（４）の変動時間の計測が中断（４ｓ）される。変動は継続される。
前記第２特図の確定表示（２ｆ）の終了とほぼ同時に特別電動役物のみが作動する小当り遊技（５２）が開始される。該小当り遊技が終了すると、前記第１特図の中断されているハズレ変動時間の計測が再開される。
また第２特図の保留記憶があれば次の変動（６）が開始される（図例ではハズレとなる変動）。
【０１５８】
図３８（ｂ）に示すように、第１特図の大当り変動（１）と第２特図の小当たり変動（２）との同時変動中、第２特図の小当り変動（２）が終了して小当り図柄の確定表示（２ｆ）が開始され、更に第１特図の大当り変動（１）が終了して大当り図柄の確定表示（１ｆ）が開始され、更にまた第２特図の確定表示が終了すると、前記第１特図の大当り確定表示（１ｆ）の確定表示時間の計測が中断（１ｔ）される。大当り確定表示は継続される。
前記第２特図の確定表示（２ｆ）の終了とほぼ同時に特別電動役物のみが作動する小当り遊技（５２）が開始される。該小当り遊技が終了すると、前記第１特図の中断されている大当り確定表示時間の計測が再開される。
また第２特図の保留記憶があれば次の変動が開始される。この場合、第１特図が大当り確定表示中であるので新たに開始される第２特図の変動は強制的にハズレ変動（６）とされる。
【０１５９】
再開された前記第１特図の大当り確定表示（１ｆ）が終了すると、前記第２特図のハズレ変動（６）の変動時間の計測が中断（６ｓ）される。変動は継続される。
前記第１特図の確定表示（１ｆ）の終了とほぼ同時に特別電動役物及び役物連続作動装置がともに作動する大当り遊技（３１）が開始される。該大当り遊技が終了すると、前記第２特図の中断されているハズレ変動時間の計測が再開される。
また第１特図の保留記憶があれば次の変動（４）が開始される。
【０１６０】
このように、一方の特図が大当り変動中には、他方の特図の小当り変動又はハズレ変動が実施可能とされている。ただし他方の変動が大当りとなる変動であってもハズレ変動とされる。また、一方の特図のハズレ図柄の確定表示が終了しても他方の特図の変動及び確定表示の時間計測が中断されない。
【０１６１】
図３９（ａ）に示すように、第１特図の小当り変動（７）中に第２特図の大当り変動（８）が開始されて同時変動となり、第１特図の小当り変動（７）が終了して小当り図柄の確定表示（７ｆ）が開始され、更に第２特図の大当り変動（８）が終了して大当り図柄の確定表示（８ｆ）が開始され、更にまた第１特図の確定表示が終了すると、前記第２特図の大当り確定表示（８ｆ）の確定表示時間の計測が中断（８ｔ）される。大当り確定表示は継続される。
前記第１特図の確定表示（７ｆ）の終了とほぼ同時に特別電動役物のみが作動する小当り遊技（５１）が開始される。該小当り遊技が終了すると、前記第２特図の中断されている大当り確定表示時間の計測が再開される。
また第１特図の保留記憶があれば次の変動（４）が開始される。この場合、第２特図が大当り確定表示中であるので新たに開始される第１特図の変動は強制的にハズレ変動（４）とされる。
【０１６２】
再開された前記第２特図の大当り確定表示が終了すると、前記第１特図のハズレ変動（４）の変動時間の計測が中断（４ｓ）される。変動は継続される。
前記第２特図の確定表示（８ｆ）の終了とほぼ同時に特別電動役物及び役物連続作動装置が作動する大当り遊技（３２）が開始される。該大当り遊技が終了すると、前記第１特図の中断されているハズレ変動時間の計測が再開される。
また第２特図の保留記憶があれば次の変動（６）が開始される。
【０１６３】
図３９（ｂ）に示すように、第１特図の小当り変動（７）と第２特図の大当たり変動（８）との同時変動中、該第２特図の大当り変動が終了して大当り図柄の確定表示（８ｆ）が開始され、更に第１特図の小当り変動（７）が終了して小当り図柄の確定表示（７ｆ）が開始され、更にまた第２特図の確定表示が終了すると、前記第１特図の小当り確定表示（７ｆ）の確定表示時間の計測が中断（７ｔ）される。小当り確定表示は継続される。
前記第２特図の確定表示（８ｆ）の終了とほぼ同時に特別電動役物及び役物連続作動装置が作動する大当り遊技（３２）が開始される。該大当り遊技が終了すると、前記第１特図の中断されている小当り確定表示時間の計測が再開される。
また第２特図の保留記憶があれば次の変動（６）が開始される。
【０１６４】
再開された前記第１特図の小当り確定表示（７ｆ）が終了すると、前記第２特図のハズレ変動（６）の変動時間の計測が中断（６ｓ）される。変動は継続される。
前記第１特図の確定表示（７ｆ）の終了とほぼ同時に特別電動役物のみが作動する小当り遊技（５１）が開始される。該小当り遊技が終了すると、前記第２特図の中断されているハズレ変動時間の計測が再開される。
また第１特図の保留記憶があれば次の変動（４）が開始される。
【０１６５】
このように、一方の特図が小当り変動中には、他方の特図の変動が大当り変動であっても実施される。
【０１６６】
図４０に示すように、第１特図の小当り変動（７）中に第２特図の小当り変動（２）が開始されて同時変動となり、第１特図の小当り変動（７）が終了して小当り図柄の確定表示（７ｆ）が開始され、更に第２特図の小当り変動（２）が終了して小当り図柄の確定表示（２ｆ）が開始され、更にまた第１特図の確定表示（７ｆ）が終了すると、前記第２特図の小当り確定表示（２ｆ）の確定表示時間の計測が中断（２ｔ）される。小当り確定表示は継続される。
前記第１特図の確定表示（７ｆ）の終了とほぼ同時に特別電動役物のみが作動する小当り遊技（５１）が開始される。該小当り遊技が終了すると、前記第２特図の中断されている小当り確定表示時間の計測が再開される。また第１特図の保留記憶があれば次の変動（４）が開始される。
【０１６７】
再開された前記第２特図の小当り確定表示が終了すると、前記第１特図のハズレ変動（４）の変動時間の計測が中断（４ｓ）される。変動は継続される。
前記第２特図の確定表示（２ｆ）の終了とほぼ同時に特別電動役物のみが作動する小当り遊技（５２）が開始される。該小当り遊技が終了すると、前記第１特図の中断されているハズレ変動時間の計測が再開される。
また第２特図の保留記憶があれば次の変動（６）が開始される。
【０１６８】
図４１（ａ）に示すように、第１特図の大当り変動（１）中に第２特図のハズレ変動（６）が開始されて同時変動となり、第１特図の大当り変動（１）が終了して大当り図柄の確定表示（１ｆ）が開始され、更に第２特図のハズレ変動（６）が終了してハズレ図柄の確定表示（６ｆ）が開始され、更にまた第１特図の確定表示（１ｆ）が終了すると、前記第２特図のハズレ確定表示（６ｆ）の確定表示時間の計測が中断（６ｔ）される。ハズレ確定表示は継続される。
前記第１特図の確定表示（１ｆ）の終了とほぼ同時に特別電動役物及び役物連続作動装置がともに作動する大当り遊技（３１）が開始される。該大当り遊技が終了すると、前記第２特図の中断されているハズレ確定表示時間の計測が再開される。また第１特図の保留記憶があれば次の変動（４）が開始される。
更に、第２特図始動口へ入球があればこれに起因する変動（６）が開始される。
【０１６９】
図４１（ｂ）に示すように、第１特図のハズレ変動（４）中に第２特図の小当り変動（２）が開始されて同時変動となり、かつ第１特図のハズレ変動（４）が終了してハズレ図柄の確定表示（４ｆ）中に、第２特図の小当り変動（２）が終了して小当り図柄の確定表示（２ｆ）が開始され、更に第２特図の確定表示が終了すると、前記第１特図のハズレ図柄の確定表示の確定表示時間の計測が中断（４ｔ）される。ハズレ図柄の確定表示は継続される。
前記第２特図の確定表示（２ｆ）が終了するとほぼ同時に特別電動役物のみが作動する小当り遊技（５２）が開始される。該小当り遊技が終了すると、前記第１特図の中断されているハズレ図柄の確定表示時間の計測が再開される。また第２特図の保留記憶があれば次の変動（６）が開始される。
【０１７０】
本実施形態のパチンコ機によれば、第１特図と第２特図の同時変動中、第１特図表示装置２８Ａ又は第２特図表示装置２８Ｂのいずれか一方の特図表示装置にて、小当りを示す図柄での確定表示及び大当りを示す図柄での確定表示が終了した場合には、他方の特図表示装置での図柄変動の時間計測又は確定表示の時間計測を中断させるので、前記小当りの場合、前記大当りの場合いずれであっても同じ内容の制御ですむ。更に、前記他方の特図表示装置での処理が変動中であっても確定表示中であっても、時間の計測を中断するといった同じ内容の制御ですみ、第１特図表示装置２８Ａ又は第２特図表示装置２８Ｂを制御する主制御装置４０の処理負担を大幅に軽減することができる。
また、第１特図表示装置２８Ａ又は第２特図表示装置２８Ｂのいずれか一方の特図表示装置にて、大当りになる図柄の変動中及び大当りとなる図柄の確定表示中に、他方の特図表示装置にて開始される変動は、大当りとなる場合であってもハズレとなる変動が開始されるが、小当りとなる場合には、そのまま、小当りの変動が行われ、その後に小当り遊技が実行されるので、第１特別図柄と第２特別図柄との同時大当りを回避しつつ、遊技者に不利な遊技とならない。
【０１７１】
また、第１特図と第２特図の同時変動中、第１特図表示装置２８Ａ又は第２特図表示装置２８Ｂのいずれか一方の特図表示装置にて、小当りになる変動が開始されると、他方の特図表示装置にて開始される変動は、大当りとなる変動であれば、そのまま変動が開始され、小当りとなる変動であっても、そのままそのまま変動が開始され、大当り又は小当りが消滅することがないので、遊技者に不利な遊技とならない。
【０１７２】
更に、第１特図と第２特図の同時変動中、第１特図表示装置２８Ａ又は第２特図表示装置２８Ｂのいずれか一方の特図表示装置にて大当りを示す図柄で確定表示が終了すると、他方の特図表示装置にて表示されている特別図柄が、小当りを示す図柄にて確定表示中であった場合、当該確定時間の計測を中断させることで、大当りと小当りが同時に発生しないようにしつつ、小当りも発生するので遊技者に不利な遊技とならない。
【０１７３】
更にまた、第１特図と第２特図の同時変動中、第１特図表示装置２８Ａ又は第２特図表示装置２８Ｂのいずれか一方の特図表示装置にて小当りを示す図柄にて確定表示が終了すると、他方の特別図柄表示装置にて表示されている特別図柄が、小当りを示す図柄又は大当りを示す図柄のいずれの確定表示中であっても確定時間の計測を中断するので、２つの小当り又は大当りと小当りが同時に発生しないようにしつつ、小当り又は大当りも発生するので遊技者に不利な遊技とならない。
【０１７４】
更に、前記第１の実施形態と同様に、変動表示、確定表示における計測時も計測中断時も、主制御装置４０が制御する第１及び第２特図表示装置２８Ａ，２８Ｂは同じ態様の表示を行うので主制御装置４０に処理負担をかけないで済む上、サブ統合制御装置４２及び演出図柄制御装置４３が制御する演出図柄表示装置２１により、計測中であるか計測中断中であるかを遊技者に好適に報知することができる。
【０１７５】
尚、本発明は前記各実施形態に限定されるものではない。例えば、前記第１及び第２の実施形態のパチンコ機ではいずれも、大当り遊技と小当り遊技とで共通の大入賞口２５を作動させる構成であるが、これに限らず、大当り遊技にて作動する大当り用の大入賞口と、小当り遊技にて作動する小当り用の大入賞口との２種類を設ける構成でもよい。
【０１７６】
更にまた、本発明は、パチンコ機台内に所定数の遊技球が封入され、封入された遊技球を遊技盤の遊技領域に向けて発射するとともに、発射された遊技球を回収し、回収した遊技球を再度発射することで内部の所定数の遊技球を循環的に使用して遊技を行う封入式パチンコ機に適用してもよい。
【符号の説明】
【０１７７】
２  遊技盤
２０  遊技領域
２１  演出図柄表示装置
２３  第１特図始動口（第１始動口）
２４  第２特図始動口（第２始動口）
２５  大入賞口
２８Ａ  第１特図表示装置（第１特別図柄表示装置）
２８Ａ  第２特図表示装置（第２特別図柄表示装置）
４０  主制御装置（第１保留記憶手段、第２保留記憶手段、当否判定手段、変動時間決定手段、特別図柄変動制御手段、小当り遊技実行手段、大当り遊技実行手段、計測中断手段、計測再開手段、切替変動制御手段）
４２  サブ統合制御装置（サブ制御装置）
【図１】
0006643538.tif 000002
【図２】
0006643538.tif 000003
【図３】
0006643538.tif 000004
【図４】
0006643538.tif 000005
【図５】
0006643538.tif 000006
【図６】
0006643538.tif 000007
【図７】
0006643538.tif 000008
【図８】
0006643538.tif 000009
【図９】
0006643538.tif 000010
【図１０】
0006643538.tif 000011
【図１１】
0006643538.tif 000012
【図１２】
0006643538.tif 000013
【図１３】
0006643538.tif 000014
【図１４】
0006643538.tif 000015
【図１５】
0006643538.tif 000016
【図１６】
0006643538.tif 000017
【図１７】
0006643538.tif 000018
【図１８】
0006643538.tif 000019
【図１９】
0006643538.tif 000020
【図２０】
0006643538.tif 000021
【図２１】
0006643538.tif 000022
【図２２】
0006643538.tif 000023
【図２３】
0006643538.tif 000024
【図２４】
0006643538.tif 000025
【図２５】
0006643538.tif 000026
【図２６】
0006643538.tif 000027
【図２７】
0006643538.tif 000028
【図２８】
0006643538.tif 000029
【図２９】
0006643538.tif 000030
【図３０】
0006643538.tif 000031
【図３１】
0006643538.tif 000032
【図３２】
0006643538.tif 000033
【図３３】
0006643538.tif 000034
【図３４】
0006643538.tif 000035
【図３５】
0006643538.tif 000036
【図３６】
0006643538.tif 000037
【図３７】
0006643538.tif 000038
【図３８】
0006643538.tif 000039
【図３９】
0006643538.tif 000040
【図４０】
0006643538.tif 000041
【図４１】
0006643538.tif 000042